(57)【要約】【課題】  データ衝突の抑制と消費電力の低減の双方を可能とする通信システム、送信局及び受信局を提供する。【解決手段】  データ抽出部１０１１は、受信部１１２が受信したデータを、送信無線局番号（ID）とその他のデータとに分離する。ランダム値選択部２０１２は、送信無線局番号（ID）を用いてランダム値（R）を選択する。ランダム系列算出部２０１３は、このランダム値（R）を用いてランダム系列（Rs）を算出する。更に、送信タイミング推定部２０１４は、ランダム系列（Rs）を用いて送信タイミング系列（Hs）を推定する。バースト・連続受信制御部２０１１は、送信タイミング系列（Hs）に基づいて、送信無線局２０００の送信タイミングであるか否かを判定し、送信タイミングである場合、受信部１１２に対して受信命令を出す。【選択図】  図１４
2005086567.tif 000002
【特許請求の範囲】
【請求項１】
１又は複数の送信局と、前記１又は複数の送信局からの情報を受信する受信局とを有する通信システムにおいて、
前記送信局は、
前記送信局の固有値を含んだ情報を送信する送信手段と、
前記送信局の固有値に基づく１又は複数の送信タイミング系列を取得する第１の送信タイミング系列取得手段と、
前記取得された１又は複数の送信タイミング系列に基づいて、情報の送信制御を行う送信制御手段と、
を備え、
前記受信局は、
前記送信局の固有値を含んだ情報を受信する受信手段と、
前記受信された情報に含まれる前記送信局の固有値を抽出する情報抽出手段と、
前記抽出された前記送信局の固有値に基づく該送信局における１又は複数の送信タイミング系列を取得する第２の送信タイミング系列取得手段と、
前記送信局における１又は複数の送信タイミング系列に基づいて、前記送信局における送信タイミングと前記受信局における受信タイミングとの同期をとる同期手段と、
を備える通信システム。
【請求項２】
受信局に対して情報を送信する送信局において、
自局の固有値を送信する送信手段と、
前記自局の固有値又は各送信局で共通の値に基づく１又は複数の送信タイミング系列を取得する送信タイミング系列取得手段と、
前記取得された１又は複数の送信タイミング系列に基づいて、前記受信局への情報の送信制御を行う送信制御手段と、
を備える送信局。
【請求項３】
請求項２に記載の送信局において、
前記送信タイミング系列取得手段は、送信する情報の優先度に応じた数の送信タイミング系列を取得する送信局。
【請求項４】
請求項２に記載の送信局において、
前記送信手段は、前記送信タイミング系列及び自局における位相情報の少なくとも何れかを前記受信局へ送信する送信局。
【請求項５】
請求項４に記載の送信局において、
前記送信手段は、前記情報の伝送単位を変更する送信局。
【請求項６】
請求項２に記載の送信局において、
基準となる位相情報に基づいて、自局における位相情報を補正する位相情報補正手段を備える送信局。
【請求項７】
請求項２に記載の送信局において、
前記送信タイミング系列取得手段は、外部装置によって生成された送信タイミング系列を取得する送信局。
【請求項８】
複数の送信局からの情報を受信する受信局において、
前記送信局の固有値を含んだ情報を受信する受信手段と、
前記受信された情報に含まれる前記送信局の固有値を抽出する情報抽出手段と、
前記抽出された前記送信局の固有値に基づく該送信局における送信タイミング系列を取得する送信タイミング系列取得手段と、
前記送信局における送信タイミング系列に基づいて、前記送信局における送信タイミングと自局における受信タイミングとの同期をとる同期手段と、
を備える受信局。
【請求項９】
請求項８に記載の受信局において、
前記送信タイミング系列取得手段は、前記送信局における位相を推定し、
前記同期手段は、前記推定された送信局における位相に基づいて、前記送信局における送信タイミングと自局における受信タイミングとの同期をとる受信局。
【請求項１０】
請求項８に記載の受信局において、
前記受信手段は、前記位相情報を含んだ情報を受信し、
前記情報抽出手段は、前記受信された情報に含まれる前記送信局における位相情報を抽出し、
前記同期手段は、前記抽出された送信局における位相情報に基づいて、前記送信局における送信タイミングと、自局における受信タイミングとの同期をとる受信局。
【請求項１１】
請求項８に記載の受信局において、
前記受信手段は、前記送信タイミング系列に対応する受信タイミングで情報を受信する間欠受信を行う受信局。
【請求項１２】
請求項８に記載の受信局において、
前記受信手段は、前記各送信局に対応する送信タイミング系列に基づいて間欠受信を行い、前記間欠受信を行わない間に、未知の送信局を探索するための連続受信を行う受信局。
【請求項１３】
請求項１２に記載の受信局において、
前記受信手段は、前記間欠受信と前記連続受信との比率を変更する受信局。
【請求項１４】
請求項８に記載の受信局において、
基準となる位相情報に基づいて、自局における位相情報を補正する位相情報補正手段を備え、
前記同期手段は、前記補正された自局における位相情報に基づいて、前記送信局における送信タイミングと、自局における受信タイミングとの同期をとる受信局。
【請求項１５】
請求項８に記載の受信局において、
自局における位相情報を、基準となる位相情報として送信する基準位相情報送信手段を備え、
前記同期手段は、前記補正された自局における位相情報に基づいて、前記送信局における送信タイミングと自局における受信タイミングとの同期をとる受信局。
【請求項１６】
請求項８に記載の受信局において、
前記送信タイミング系列取得手段は、１つの送信局に対して複数の送信タイミング系列を取得する受信局。
【発明の詳細な説明】
【技術分野】
【０００１】
本発明は、複数の送信局と、これら複数の送信局からの情報を受信する受信局とによって構成される通信システムと、当該通信システムにおける通信制御方法に関する。
【背景技術】
【０００２】
移動通信システム等の無線通信システムにおいて、複数の送信無線局が通信路（チャネル）を共有しなければならない場合、即ち、複数の送信無線局が同時にデータを送信する場合に、通信路には競合が発生する。このような通信路における競合を防止するための手段として、通信路を各送信無線局に割り当てるための何らかの規則（アクセスプロトコル）が必要となる（例えば特許文献１）。従来のアクセスプロトコルには、データの衝突のないアクセスプロトコル（スケジュール型）と、データの衝突のあるアクセスプロトコル（ランダムアクセス型）とが存在する。
【０００３】
スケジュール型のアクセスプロトコルとして、例えば、従来の携帯電話の移動通信システム等に用いられているＴＤＭＡ方式がある。このＴＤＭＡ方式では、受信無線局としての基地局が、送信無線局としての携帯電話機に対して、使用すべきタイムスロットを指定することにより、複数の携帯電話機が同時にデータを送信することを回避することができる。しかし、タイムスロット数には限界が存在するため、多数の携帯電話機が存在する環境下では適切な制御が困難となる。
【０００４】
一方、ランダムアクセス型のアクセスプロトコルとして、ＡＬＯＨＡ方式、Ｓ−ＡＬＯＨＡ方式等の繰り返しランダムアクセスプロトコルや、ｒ−ＡＬＯＨＡ方式のような予約ランダムアクセスプロトコル等が提案されている。例えば、ＡＬＯＨＡ方式では、送信無線局は、送信したデータが衝突した場合には、ランダムに設定された時間が経過した後に、再送を行う。この場合、受信無線局は、データを正常に受信するまでの間、連続して待ち受け状態とする必要があり、消費電力が増加してしまう。
【０００５】
また、図１（１）に示すように、全ての送信無線局が周期的にアクセスし、受信無線局が間欠受信を行うアクセスプロトコル（周期的アクセス法）や、図１（２）に示すように、全ての送信無線局がランダム送信を行い、受信無線局が連続受信を行うアクセスプロトコル（ランダムアクセス法）が存在する。
【０００６】
図２は従来の周期的アクセス法が採用される送信無線局の構成例を示す図であり、図３は従来の周期的アクセス法が採用される受信無線局の構成例を示す図である。
【０００７】
図２に示す送信無線局１００は、データ記憶部１０１、一定間隔バースト送信制御部１０２、クロック生成部１０３、送信部１０４、切替機１０５、電源オン／オフ部１０６、アンテナ１０７によって構成される。
【０００８】
データ記憶部１０１には、送信タイミング信号（Hnum）、１フレーム内スロット数（Fslot）、１フレーム時間（Ftime）、送信クロック情報（clock_t）等が記憶されている。送信タイミング信号（Hnum）は、送信無線局１００が一定間隔の送信タイミングにおいて送信するスロットの番号を意味する。１フレーム内スロット数（Fslot）は、１フレームがFslot個のスロットに分割されることを意味する。１フレーム時間（Ftime）は１フレームの伝送に必要な時間を意味する。送信クロック情報（clock_t）は送信無線局１００における時刻を示すクロックを意味する。
【０００９】
クロック生成部１０３は、データをバースト送信する際に必要な時刻情報であるクロックをカウントする。このカウントの最大値は、１フレーム内スロット数（Fslot）と同一である。更に、クロック生成部１０３は、カウント値を送信クロック情報（clock_t）として、随時、一定間隔バースト送信制御部１０２へ出力するとともに、データ記憶部１０１に記憶させる。
【００１０】
一定間隔バースト送信制御部１０２は、データ記憶部１０１内の送信タイミング信号（Hnum）を読み出すとともに、クロック生成部１０３から逐次送られる送信クロック情報（clock_t）を受け取る。そして、これら送信タイミング信号（Hnum）と送信クロック情報（clock_t）とが同一である場合には、一定間隔バースト送信制御部１０２は、切替機１０５に対して、スイッチをオンする命令を出す。一方、送信タイミング信号（Hnum）と送信クロック情報（clock_t）とが同一でない場合には、一定間隔バースト送信制御部１０２は、スイッチをオンする命令を出さない。
【００１１】
送信部１０４は、入力されるデータを送信するために、切替機１０５と接続されている。この送信部１０４は、入力されたデータを出力する。切替機１０５は、一定間隔バースト送信制御部１０２からのスイッチオンの命令を受けた場合に、送信部１０４からのデータをアンテナ１０７から外部に放射させる。これにより、送信無線局１００は、一定間隔でデータを送信することができる。一方、切替機１０５は、一定間隔バースト送信制御部１０２からのスイッチオンの命令を受けていない場合にはオフ状態となる。
【００１２】
電源オン／オフ部１０６は、外部から電源をオン若しくはオフする命令を受けた場合に、その命令に応じて、送信無線局１００内の各回路をオンあるいはオフする。
【００１３】
一方、図３に示す受信無線局１１０は、データ記憶部１１１、受信部１１２、一定間隔バースト受信制御部１１３、クロック生成部１１４、電源オン／オフ部１１５、アンテナ１１６によって構成される。
【００１４】
データ記憶部１１１には、受信タイミング信号（Hnum_r）、１フレーム内スロット数（Fslot）、１フレーム時間（Ftime）、受信クロック情報（clock_r）等が記憶されている。受信タイミング信号（Hnum_r）は受信無線局１１０に送信無線局１００から到来するスロットの番号を意味する。受信クロック情報（clock_r）は受信無線局１１０における時刻を示すクロックを意味する。
【００１５】
クロック生成部１１４は、データを間欠受信する際に必要な時刻情報であるクロックをカウントする。このカウントの最大値は、１フレーム内スロット数（Fslot）と同一である。更に、クロック生成部１１４は、カウント値を受信クロック情報（clock_r）として、随時、一定間隔バースト送信制御部１１３へ出力するとともに、データ記憶部１１１に記憶させる。
【００１６】
一定間隔バースト受信制御部１１３は、データ記憶部１１１内の受信タイミング信号（Hnum_r）を読み出すとともに、クロック生成部１１４から逐次送られる受信クロック情報（clock_r）を受け取る。そして、これら受信タイミング信号（Hnum_r）と受信クロック情報（clock_r）とが同一である場合には、一定間隔バースト受信制御部１１３は、受信部１１２に対して受信命令を出す。一方、受信タイミング信号（Hnum_r）と受信クロック情報（clock_r）とが同一でない場合には、一定間隔バースト受信制御部１１３は、受信命令を出さない。
【００１７】
受信部１１２は、一定間隔バースト受信制御部１１３からの受信命令を受けた場合に、アンテナ１１６を介して、送信無線局１００からのデータを受信する。更に、受信部１１２は、受信したデータに対してＣＲＣチェックを行い、受信したデータに誤りがない場合には、当該データを外部へ出力する。電源オン／オフ部１１５は、外部から電源をオン若しくはオフする命令を受けた場合に、その命令に応じて、受信無線局１１０内の各回路をオンあるいはオフする。
【００１８】
一方、図４は従来のランダムアクセス法が採用される送信無線局の構成例を示す図であり、図５は従来のランダムアクセス法が採用される受信無線局の構成例を示す図である。
【００１９】
図４に示す送信無線局２００は、データ記憶部１０１、クロック生成部１０３、送信部１０４、切替機１０５、電源オン／オフ部１０６、アンテナ１０７、乱数発生部２０１、バースト送信制御部２０２によって構成される。なお、図４において、図２と同一の構成要素には同一の番号が付されており、当該構成要素の詳細な説明は省略する。
【００２０】
乱数発生部２０１は、データ記憶部１０１内の１フレーム内スロット数（Fslot）を読み出し、１からFslotまでの値をとる乱数を発生させる。更に、乱数発生部２０１は、発生させた乱数を、送信タイミング信号（Hnum）としてデータ記憶部１０１に記憶させる。また、乱数発生部２０１は、データ記憶部１０１内の送信クロック情報（clock_t）を読み出し、当該送信クロック情報（clock_t）が０であった場合には、新たな乱数を発生させ、送信タイミング信号（Hnum）としてデータ記憶部１０１に記憶させる。
【００２１】
バースト送信制御部２０２は、データ記憶部１０１内の送信タイミング信号（Hnum）を読み出すとともに、クロック生成部１０３から逐次送られる送信クロック情報（clock_t）を受け取る。そして、これら送信タイミング信号（Hnum）と送信クロック情報（clock_t）とが同一である場合には、切替機１０５に対して、スイッチをオンする命令を出す。切替機１０５は、バースト送信制御部２０２からのスイッチオンの命令を受けた場合に、当該送信部１０４からのデータをアンテナ１０７から外部に放射させる。一方、切替機１０５は、一定間隔バースト送信制御部１０２からのスイッチオンの命令を受けていない場合にはオフ状態となる。
【００２２】
一方、図５に示す受信無線局２１０は、データ記憶部１１１、受信部１１２、クロック生成部１１４、電源オン／オフ部１１５、アンテナ１１６によって構成される。なお、図５において、図３と同一の構成要素には同一の番号が付されている。この受信無線局２１０は、図３に示す無線受信局１１０のような間欠受信を行わず、常に待ち受け状態となり、連続受信を行う。
【特許文献１】特開平１１−１９６４７３号公報（２−３頁、図１）
【発明の開示】
【発明が解決しようとする課題】
【００２３】
しかしながら、上述した周期的アクセス法では、図１（１）に示すように、送信無線局ｉと送信無線局ｊの送信タイミングが重複し、データの衝突が一度発生すると、その後も連続してデータの衝突が発生してしまう。また、ランダムアクセス法では、受信無線局は、送信無線局の送信タイミングが不明であるために常に待ち受け状態となって連続受信を行う必要があり、消費電力が増加してしまう。このような問題を解決するためには、図６に示すように、送信無線局がランダム送信を行いつつ、データ衝突の抑制を図るとともに、受信無線局が間欠受信を行いつつ、消費電力の低減を図ることが必要となる。
【００２４】
本発明は、上述した問題を解決するものであり、情報衝突の抑制と消費電力の低減の双方を可能とする通信システム、送信局及び受信局を提供することを課題とする。
【課題を解決するための手段】
【００２５】
上述した課題を解決するために、本発明は請求項１に記載されるように、１又は複数の送信局と、前記１又は複数の送信局からの情報を受信する受信局とを有する通信システムにおいて、前記送信局は、前記送信局の固有値を含んだ情報を送信する送信手段と、前記送信局の固有値に基づく１又は複数の送信タイミング系列を取得する第１の送信タイミング系列取得手段と、前記取得された１又は複数の送信タイミング系列に基づいて、情報の送信制御を行う送信制御手段とを備え、前記受信局は、前記送信局の固有値を含んだ情報を受信する受信手段と、前記受信された情報に含まれる前記送信局の固有値を抽出する情報抽出手段と、前記抽出された前記送信局の固有値に基づく該送信局における１又は複数の送信タイミング系列を取得する第２の送信タイミング系列取得手段と、前記送信局における１又は複数の送信タイミング系列に基づいて、前記送信局における送信タイミングと前記受信局における受信タイミングとの同期をとる同期手段とを備える。
【００２６】
また、本発明は請求項２に記載されるように、受信局に対して情報を送信する送信局において、自局の固有値を送信する送信手段と、前記自局の固有値又は各送信局で共通の値に基づく１又は複数の送信タイミング系列を取得する送信タイミング系列取得手段と、前記取得された１又は複数の送信タイミング系列に基づいて、前記受信局への情報の送信制御を行う送信制御手段とを備える。
【００２７】
また、本発明は請求項３に記載されるように、請求項２に記載の送信局において、前記送信タイミング系列取得手段は、送信する情報の優先度に応じた数の送信タイミング系列を取得する。
【００２８】
また、本発明は請求項４に記載されるように、請求項２に記載の送信局において、前記送信手段は、前記送信タイミング系列及び自局における位相情報の少なくとも何れかを前記受信局へ送信する。
【００２９】
また、本発明は請求項５に記載されるように、請求項４に記載の送信局において、前記送信手段は、前記情報の伝送単位を変更する。
【００３０】
また、本発明は請求項６に記載されるように、請求項２に記載の送信局において、基準となる位相情報に基づいて、自局における位相情報を補正する位相情報補正手段を備える。
【００３１】
また、本発明は請求項７に記載されるように、請求項２に記載の送信局において、前記送信タイミング系列取得手段は、外部装置によって生成された送信タイミング系列を取得する。
【００３２】
また、本発明は請求項８に記載されるように、複数の送信局からの情報を受信する受信局において、前記送信局の固有値を含んだ情報を受信する受信手段と、前記受信された情報に含まれる前記送信局の固有値を抽出する情報抽出手段と、前記抽出された前記送信局の固有値に基づく該送信局における送信タイミング系列を取得する送信タイミング系列取得手段と、前記送信局における送信タイミング系列に基づいて、前記送信局における送信タイミングと自局における受信タイミングとの同期をとる同期手段とを備える。
【００３３】
また、本発明は請求項９に記載されるように、請求項８に記載の受信局において、前記送信タイミング系列取得手段は、前記送信局における位相を推定し、前記同期手段は、前記推定された送信局における位相に基づいて、前記送信局における送信タイミングと自局における受信タイミングとの同期をとる。
【００３４】
また、本発明は請求項１０に記載されるように、請求項８に記載の受信局において、前記受信手段は、前記位相情報を含んだ情報を受信し、前記情報抽出手段は、前記受信された情報に含まれる前記送信局における位相情報を抽出し、前記同期手段は、前記抽出された送信局における位相情報に基づいて、前記送信局における送信タイミングと、自局における受信タイミングとの同期をとる。
【００３５】
また、本発明は請求項１１に記載されるように、請求項８に記載の受信局において、前記受信手段は、前記送信タイミング系列に対応する受信タイミングで情報を受信する間欠受信を行う受信局。
【００３６】
また、本発明は請求項１２に記載されるように、請求項８に記載の受信局において、前記受信手段は、前記各送信局に対応する送信タイミング系列に基づいて間欠受信を行い、前記間欠受信を行わない間に、未知の送信局を探索するための連続受信を行う。
【００３７】
また、本発明は請求項１３に記載されるように、請求項１２に記載の受信局において、前記受信手段は、前記間欠受信と前記連続受信との比率を変更する受信局。
【００３８】
また、本発明は請求項１４に記載されるように、請求項８に記載の受信局において、基準となる位相情報に基づいて、自局における位相情報を補正する位相情報補正手段を備え、前記同期手段は、前記補正された自局における位相情報に基づいて、前記送信局における送信タイミングと、自局における受信タイミングとの同期をとる。
【００３９】
また、本発明は請求項１５に記載されるように、請求項８に記載の受信局において、自局における位相情報を、基準となる位相情報として送信する基準位相情報送信手段を備え、前記同期手段は、前記補正された自局における位相情報に基づいて、前記送信局における送信タイミングと自局における受信タイミングとの同期をとる。
【００４０】
また、本発明は請求項１６に記載されるように、請求項８に記載の受信局において、前記送信タイミング系列取得手段は、１つの送信局に対して複数の送信タイミング系列を取得する。
【００４１】
本発明では、送信局は、自局の固有値に基づいた送信タイミング系列を取得しており、複数の送信局間で送信タイミングが重複し、情報衝突が発生することを抑制することが可能となる。また、受信局は、送信局における送信タイミングと自局における受信タイミングとの同期をとっており、必要に応じて受信動作を行うことにより、消費電力の低減を図ることが可能となる。
【発明の効果】
【００４２】
本発明によれば、情報衝突の抑制と消費電力の低減の双方を実現することが可能となる。
【発明を実施するための最良の形態】
【００４３】
以下、図面を参照しながら本発明の実施するための最良の形態を説明する。
（第１実施例）
図７は、第１実施例における通信システムの構成例を示す図である。同図に示す通信システムは、例えば移動通信システムであり、移動端末等の複数の送信無線局１０００−１乃至１０００−ｎ（以下、これら送信無線局１０００−１乃至１０００−ｎをまとめて、適宜「送信無線局１０００」と称する）と、これら各送信無線局１０００からのデータを受信する基地局等の受信無線局１０１０とにより構成される。なお、後述する第２実施例乃至第７実施例における通信システムも、図７に示す第１実施例における通信システムと同様、複数の送信無線局と、受信無線局とにより構成される。
【００４４】
図８は、第１実施例における送信無線局の構成例を示す図である。同図に示す送信無線局１０００は、データ記憶部１０１と、切替機１０５と、電源オン／オフ部１０６と、アンテナ１０７と、バースト送信制御部１００１と、クロック生成部１００２と、送信部１００３とによって構成される。なお、図８において、図２と同一の構成要素には同一の番号が付されている。
【００４５】
データ記憶部１０１には、送信無線局番号（ID）、送信タイミング系列（Hs）、送信タイミング系列周期（Ht）、送信タイミング系列着目番号（Hn_t）、１フレーム内スロット数（Fslot）、１フレーム時間（Ftime）、送信クロック情報（clock_t）、送信タイミング系列読み出し回数（Hs_num_t）等が記憶される。
【００４６】
送信無線局番号（ID）は、送信無線局１０００に固有の数値であり、Ｎビットの一意な番号を意味する。送信タイミング系列（Hs）は、送信無線局１０００がデータを送信するタイミングの時間上の系列である。送信タイミング系列周期（Ht）は、送信タイミング系列（Hs）の繰返し周期に対応するフレーム数を意味する。送信タイミング系列（Hs）の着目番号（Hn_t）は、送信タイミング系列（Hs）において、着目すべき符号の順位を意味する。１フレーム内スロット数（Fslot）は、１フレームがFslot個のスロットに分割されることを意味する。１フレーム時間（Ftime）は１フレームの伝送に必要な時間を意味する。送信クロック情報（clock_t）は送信無線局１０００における時刻を示すクロックを意味する。送信タイミング系列読み出し回数（Hs_num_t）は、送信無線局１０００におけるクロックが１フレーム時間（Ftime）と送信タイミング系列周期（Ht）との乗算値をカウントする毎に１ずつ増加するものである。なお、送信クロック情報（clock_t）は、送信タイミング系列読み出し回数（Hs_num_t）と１フレーム時間（Ftime）と送信タイミング系列周期（Ht）の積に達する毎に０にリセットされるようにしても良い。なお、データ記憶部１０１は、送信タイミング系列取得手段として、外部装置によって生成された送信タイミング系列（Hs）を取得することができる。
【００４７】
クロック生成部１００２は、データをバースト送信する際に必要な時刻情報であるクロックを時間経過に応じてカウントする。また、更に、クロック生成部１００２は、カウント値を送信クロック情報（clock_t）として、随時、データ記憶部１０１に記憶させる。
【００４８】
バースト送信制御部１００１は、データ記憶部１０１内の送信タイミング系列（Hs）、送信タイミング系列周期（Ht）、送信タイミング系列着目番号（Hn_t）、１フレーム時間（Ftime）、送信クロック情報（clock_t）、送信タイミング系列読み出し回数（Hs_num_t）を読み出す。更に、バースト送信制御部１００１は、送信タイミング系列（Hs）の内、送信タイミング系列着目番号（Hn_t）に対応する符号の値と、送信タイミング系列読み出し回数（Hs_num_t）に１フレーム時間（Ftime）と送信タイミング系列周期（Ht）とを乗算した値（Hs_num_t×Ftime×Ht）との和を算出する。更に、バースト送信制御部１００１は、この算出値と送信クロック情報（clock_t）とを比較し、同一である場合には、切替機１０５に対して、スイッチをオンする命令を出し、同一でない場合には、当該命令を出さない。
【００４９】
更に、バースト送信制御部１００１は、上述した算出値と送信クロック情報（clock_t）とが同一である場合に、送信タイミング系列着目番号（Hn_t）に１を加算する。そして、この加算により、送信タイミング系列着目番号（Hn_t）が送信タイミング系列周期（Ht）以上になった場合には、バースト送信制御部１００１は、その時点の送信タイミング系列着目番号（Hn_t）から送信タイミング系列周期（Ht）を差し引いた値を、その後の送信タイミング系列着目番号（Hn_t）とするとともに、その時点の送信タイミング系列読み出し回数（Hs_num_t）に１を加算した値を、その後の送信タイミング系列読み出し回数（Hs_num_t）とする。
【００５０】
送信部１００３は、入力されるデータ及び送信無線局番号（ID）を送信するために、切替機１０５と接続されている。入力されるデータは、例えば、加速度センサが検知した加速度の信号、ＧＰＳ信号、電波時計の信号等である。この送信部１００３は、入力されたデータ及びデータ記憶部１０１から読み出した送信無線局番号（ID）を出力する。なお、入力されるデータがない場合には、送信部１００３は、送信無線局番号（ID）のみを出力するようにしても良い。切替機１０５は、バースト送信制御部１００１からのスイッチオンの命令を受けた場合に、送信部１００３からのデータをアンテナ１０７から外部に放射させる。一方、切替機１０５は、バースト送信制御部１００１からのスイッチオンの命令を受けていない場合にはオフ状態となる。電源オン／オフ部１０６は、外部から電源をオン若しくはオフする命令を受けた場合に、その命令に応じて、送信無線局１０００内の各回路をオンあるいはオフする。
【００５１】
図９は、第１実施例における受信無線局の構成例を示す図である。同図に示す受信無線局１０１０は、データ記憶部１１１と、受信部１１２と、電源オン／オフ部１１５と、アンテナ１１６と、データ抽出部１０１１と、バースト受信制御部１０１２と、クロック生成部１０１３とによって構成される。なお、図９において、図３と同一の構成要素には同一の番号が付されている。
【００５２】
データ記憶部１１１には、送信無線局番号（ID）、送信タイミング系列（Hs）、送信タイミング系列周期（Ht）、送信タイミング系列着目番号（Hn_r）、受信クロック情報（clock_r）、送信タイミング系列読み出し回数（Hs_num_r）、１フレーム時間（Ftime）等が記憶される。
【００５３】
受信クロック情報（clock_r）は、受信無線局１０１０における時刻を示すクロックを意味する。送信タイミング系列読み出し回数（Hs_num_r）は、受信無線局１０１０におけるクロックが１フレーム時間（Ftime）と送信タイミング系列周期（Ht）との乗算値をカウントする毎に１ずつ増加するものである。
【００５４】
受信部１１２は、アンテナ１１６を介して、送信無線局１０００からのデータを受信する。更に、受信部１１２は、受信したデータに対してＣＲＣチェックを行い、受信したデータに誤りがない場合には、当該データをデータ抽出部１０１１へ出力する。データ抽出部１０１１は、入力されるデータを、送信無線局番号（ID）と、その他のデータに分離する。更に、データ抽出部１０１１は、送信無線局番号（ID）をデータ記憶部１１１に記憶させるとともに、その他のデータを外部に出力する。
【００５５】
クロック生成部１０１３は、データを間欠受信する際に必要な時刻情報であるクロックをカウントする。更に、クロック生成部１０１３は、カウント値を受信クロック情報（clock_r）として、随時、データ記憶部１１１に記憶させる。
【００５６】
バースト受信制御部１０１２は、データ記憶部１１１内の送信無線局番号（ID）、送信タイミング系列（Hs）、送信タイミング系列周期（Ht）、送信タイミング系列着目番号（Hn_r）、１フレーム時間（Ftime）、受信クロック情報（clock_r）、送信タイミング系列読み出し回数（Hs_num_r）を読み出す。更に、バースト受信制御部１０１２は、送信タイミング系列（Hs）の内、送信タイミング系列着目番号（Hn_r）に対応する符号の値と、送信タイミング系列読み出し回数（Hs_num_r）に１フレーム時間（Ftime）と送信タイミング系列周期（Ht）とを乗算した値（Hs_num_r×Ftime×Ht）との和を算出する。更に、バースト受信制御部１０１２は、この算出値と受信クロック情報（clock_r）とを比較し、同一である場合には、受信部１１２に対して、待ち受け命令を出し、同一でない場合には、当該命令を出さない。
【００５７】
受信部１１２は、バースト受信制御部１０１２からの待ち受け命令を受けると、アンテナ１１６を介して、送信無線局１０００からのデータを受信する。更に、受信部１１２は、受信したデータに対してＣＲＣチェックを行い、受信したデータに誤りがない場合には、当該データをデータ抽出部１０１１へ出力する。データ抽出部１０１１は、入力されるデータを、送信無線局番号（ID）と、その他のデータに分離する。更に、データ抽出部１０１１は、送信無線局番号（ID）をデータ記憶部１１１に記憶させるとともに、その他のデータを外部に出力する。
【００５８】
更に、バースト受信制御部１０１２は、上述した算出値と受信クロック情報（clock_r）とが同一である場合に、送信タイミング系列着目番号（Hn_r）に１を加算する。そして、この加算により、送信タイミング系列着目番号（Hn_r）が送信タイミング系列周期（Ht）以上になった場合には、バースト受信制御部１０１２は、その時点の送信タイミング系列着目番号（Hn_r）から送信タイミング系列周期（Ht）を差し引いた値を、その後の送信タイミング系列着目番号（Hn_r）とするとともに、その時点の送信タイミング系列読み出し回数（Hs_num_r）に１を加算した値を、その後の送信タイミング系列読み出し回数（Hs_num_r）とする。
【００５９】
次に、フローチャートを参照しつつ、第１実施例における送信無線局及び受信無線局の動作を説明する。
【００６０】
図１０は、第１実施例における送信無線局の動作を示すフローチャートである。電源オン／オフ部１０６が外部からの命令を受けて、送信無線局１０００内の各回路をオン状態にすると、クロック生成部１００２は、クロックのカウントを開始し、そのカウント値を送信クロック情報（clock_t）として、随時、データ記憶部１０１に記憶させる（ステップ１００１）。
【００６１】
バースト送信制御部１００１は、データ記憶部１０１内の送信タイミング系列（Hs）、送信タイミング系列周期（Ht）、送信タイミング系列着目番号（Hn_t）、１フレーム時間（Ftime）、送信クロック情報（clock_t）、送信タイミング系列読み出し回数（Hs_num_t）を読み出す。更に、バースト送信制御部１００１は、送信タイミング系列（Hs）の内、送信タイミング系列着目番号（Hn_t）に対応する符号の値と、送信タイミング系列読み出し回数（Hs_num_t）に１フレーム時間（Ftime）と送信タイミング系列周期（Ht）とを乗算した値（Hs_num_t×Ftime×Ht）との和を算出する。更に、バースト送信制御部１００１は、この算出値と送信クロック情報（clock_t）とを比較する。そして、バースト送信制御部１００１は、算出値と送信クロック情報（clock_t）とが同一である場合には、送信タイミングであると判断して、切替機１０５に対して、スイッチをオンする命令を出し、同一でない場合には、当該命令を出さない（ステップ１００２）。
【００６２】
送信部１００３は、入力されたデータ及びデータ記憶部１０１から読み出した送信無線局番号（ID）を出力する。切替機１０５は、送信部１００３からのスイッチオンの命令を受けた場合に、当該送信部１００３からのデータをアンテナ１０７から外部に放射させる（ステップ１００３）。
【００６３】
ステップ１００２において送信タイミングでないと判断された場合、又は、ステップ１００３においてデータ送信が行われた場合、電源オン／オフ部１０６は、外部から電源をオフする命令を受けたか否かを判定する（ステップ１００４）。電源オン／オフ部１０６が電源をオフする命令を受けていない場合には、ステップ１００１におけるクロックのカウント以降の動作が繰り返される。一方、電源オン／オフ部１０６は、電源をオフする命令を受けた場合には、送信無線局１０００内の各回路をオフ状態にする。これにより、一連の動作が終了する。
【００６４】
図１１は、第１実施例における受信無線局の動作を示すフローチャートである。電源オン／オフ部１１５が外部からの命令を受けて、受信無線局１０１０内の各回路をオン状態にすると、クロック生成部１０１３は、クロックのカウントを開始し、そのカウント値を受信クロック情報（clock_r）として、随時、データ記憶部１１１に記憶させる（ステップ１０１１）。
【００６５】
バースト受信制御部１０１２は、データ記憶部１１１内の送信タイミング系列（Hs）、送信タイミング系列周期（Ht）、送信タイミング系列着目番号（Hn_r）、１フレーム時間（Ftime）、受信クロック情報（clock_r）、送信タイミング系列読み出し回数（Hs_num_r）を読み出す。更に、バースト受信制御部１０１２は、送信タイミング系列（Hs）の内、送信タイミング系列着目番号（Hn_r）に対応する符号の値と、送信タイミング系列読み出し回数（Hs_num_r）に１フレーム時間（Ftime）と送信タイミング系列周期（Ht）とを乗算した値（Hs_num_r×Ftime×Ht）との和を算出する。更に、バースト受信制御部１０１２は、この算出値と受信クロック情報（clock_r）とを比較する。そして、バースト受信制御部１０１２は、算出値と受信クロック情報（clock_r）とが同一である場合には、既知の送信無線局１０００からのデータを受信するタイミングであると判断して、受信部１１２に対して、待ち受け命令を出し、同一でない場合には、受信タイミングでないと判断して、当該命令を出さない（ステップ１０１２）。
【００６６】
受信部１１２は、バースト受信制御部１０１２からの待ち受け命令を受けると、アンテナ１１６を介して、送信無線局１０００からのデータを受信し、ＣＲＣチェックを行った後、受信したデータに誤りがない場合には、当該データをデータ抽出部１０１１へ出力する。データ抽出部１０１１は、入力されるデータを、送信無線局番号（ID）と、その他のデータに分離し、送信無線局番号（ID）をデータ記憶部１１１に記憶させるとともに、その他のデータを外部に出力する（ステップ１０１３）。
【００６７】
ステップ１０１２において受信タイミングでないと判断された場合、又は、ステップ１０１３においてデータ受信及びデータ分離が行われた場合、電源オン／オフ部１１５は、外部から電源をオフする命令を受けたか否かを判定する（ステップ１０１４）。電源オン／オフ部１１５が電源をオフする命令を受けていない場合には、ステップ１０１１におけるクロックのカウント以降の動作が繰り返される。一方、電源オン／オフ部１１５は、電源をオフする命令を受けた場合には、受信無線局１０１０内の各回路をオフ状態にする。これにより、一連の動作が終了する。
（第２実施例）
図１２は、第２実施例における送信無線局の構成例を示す図である。同図に示す送信無線局２０００は、データ記憶部１０１と、切替機１０５と、電源オン／オフ部１０６と、アンテナ１０７と、送信制御手段としてのバースト送信制御部１００１と、クロック生成部１００２と、送信手段としての送信部１００３と、送信タイミング系列取得手段としてのランダム値選択部２００１、ランダム系列算出部２００２及び送信タイミング算出部２００３とによって構成される。なお、図１２において、図８と同一の構成要素には同一の番号が付されており、その詳細な説明は省略する。
【００６８】
データ記憶部１０１には、送信無線局番号（ID）、送信タイミング系列（Hs）、送信タイミング系列周期（Ht）、送信タイミング系列着目番号（Hn_t）、１フレーム内スロット数（Fslot）、１フレーム時間（Ftime）、送信無線局２０００における位相情報としての送信クロック情報（clock_t）、送信タイミング系列読み出し回数（Hs_num_t）、全送信タイミング系列数（Hc）、ランダム系列の生成に適用される符号（Code）、生成多項式集合（Rmath）、ランダム系列（Rs）、ランダム系列対応表（Rtable）等が記憶される。ランダム系列の生成に適用される符号としては、例えば、リード・ソロモン符号（ＲＳ符号）、Ｏｎｅ−Ｃｏｉｎｃｉｄｅｎｃｅ  Ｃｏｄｅ符号（ＯＣＣ符号）、Ｅｉｎａｒｓｓｏｎ符号等が挙げられる。生成多項式集合（Rmath）は、のランダム系列（Rs）の生成に適用される符号毎に、Hc個の生成多項式の集合からなる。ランダム系列（Rs）は、適用される符号によって生成される擬似ランダム系列である。
【００６９】
ランダム系列対応表（Rtable）は、適用される符号毎に、Hc個のランダム系列（Rs）が含まれる。図１３は、ランダム系列対応表（Rtable）の一例を示す図である。同図に示すランダム系列対応表（Rtable）は、ＲＳ符号に対応するものであり、Hc個の生成多項式の集合（Rmath）と、各生成多項式によって生成されるHc個のランダム系列（Rs）からなる。
【００７０】
ランダム値選択部２００１は、データ記憶部１０１に記憶されている送信無線局番号（ID）と全送信タイミング系列数（Hc）とを読み出し、これらを用いてランダム値（R）を選択する。例えば、ランダム値選択部２００１は、送信無線局番号（ID）を全送信タイミング数（Hc）で除した際の剰余に１を加えた値を算出することにより、１乃至Hcの間に存在するランダム値（R）を選択する。更に、ランダム値選択部２００１は、選択したランダム値（R）をランダム系列算出部２００２へ出力する。
【００７１】
ランダム系列算出部２００２は、データ記憶部１０１に記憶されている符号（Code）の中からランダム系列（Rs）の生成に適用される符号（Code）を読み出し、更に、その符号（Code）に対応する生成多項式集合（Rmath）の中からランダム値（R）に対応するR番目の生成多項式を読み出す。更に、ランダム系列算出部２００２は、読み出した生成多項式を用いてランダム系列（Rs）を算出する。算出されたランダム系列（Rs）は記憶部１０１に記憶される。あるいは、ランダム系列算出部２００２は、データ記憶部１０１に記憶されたランダム系列対応表（Rtable）を読み出し、当該ランダム系列対応表（Rtable）における、ランダム値（R）に対応するR番目のランダム系列（Rs）を読み出す。読み出されたランダム系列（Rs）は記憶部１０１に記憶される。
【００７２】
送信タイミング算出部２００３は、データ記憶部１０１に記憶されたランダム系列（Rs）、１フレーム内スロット数（Fslot）、１フレーム時間（Ftime）を読み出す。更に、送信タイミング算出部２００３は、ランダム系列（Rs(n)）（ｎは要素番号で１乃至Hcの範囲を有する）に１フレーム時間（Ftime）を乗算したものを１フレーム内スロット数（Fslot）で除し、この算出値（Rs(n)×Ftime／Fslot）と、ｎ−１に１フレーム時間（Ftime）を乗算した値（（ｎ−１）Ftime）とを加算することによって、送信タイミング系列（Hs(n)）（ｎは要素番号で１乃至Hcの範囲を有する）を算出する。算出された送信タイミング系列（Hs）はデータ記憶部１０１に記憶される。
【００７３】
なお、各送信無線局２０００における送信クロック情報（clock_t）は、通常異なる。このため、ランダム値選択部２００１は、各送信無線局２０００におけるランダム値（R）が同一になるように選択することもできる。この場合、各送信無線局２０００に対応するランダム系列（Rs）は同一になるが、各送信無線局２０００における送信クロック情報（clock_t）が異なるため、送信タイミング算出部２００３によって算出される送信タイミング系列（Hs）は、送信無線局２０００毎に異なることになる。
【００７４】
図１４は、第２実施例における受信無線局の構成例を示す図である。同図に示す受信無線局２０１０は、データ記憶部１１１と、受信手段としての受信部１１２と、電源オン／オフ部１１５と、アンテナ１１６と、情報抽出手段としてのデータ抽出部１０１１と、クロック生成部１０１３と、同期手段としてのバースト・連続受信制御部２０１１と、送信タイミング系列取得手段としてのランダム値選択部２０１２、ランダム系列算出部２０１３及び送信タイミング推定部２０１４とによって構成される。なお、図１４において、図９と同一の構成要素には同一の番号が付されており、その詳細な説明は省略する。
【００７５】
データ記憶部１１１には、送信無線局番号（ID）、送信タイミング系列（Hs）、送信タイミング系列周期（Ht）、送信タイミング系列着目番号（Hn_r）、受信クロック情報（clock_r）、送信クロック情報（clock_t）、送信タイミング系列読み出し回数（Hs_num_r）、１フレーム時間（Ftime）、受信無線局２０１０における位相情報としての受信クロック情報（clock_r）、クロックのずれ（clock_d）、全送信タイミング系列数（Hc）、ランダム系列の生成に適用される符号（Code）、生成多項式集合（Rmath）、ランダム系列（Rs）、ランダム系列対応表（Rtable）、連続受信時間（Ctime）、連続受信発生間隔（Cinterval）等が記憶される。
【００７６】
クロックのずれ（clock_d）は、送信クロック情報（clock_t）から受信クロック情報（clock_r）を差し引いた差を意味する。連続受信時間（Ctime）は、受信無線局２０１０が未知の送信無線局２０００を探索する時間を意味する。連続受信発生間隔（Cinterval）は、受信無線局２０１０が未知の送信無線局２０００を探索する時間間隔を意味する。なお、連続受信時間（Ctime）や連続受信発生間隔（Cinterval）は、予めデータ記憶部１１１内に記憶される場合の他、ネットワークを介して受信されたり、利用者の操作に応じて記憶されるようにしても良い。
【００７７】
バースト・連続受信制御部２０１１は、未知の送信無線局２０００が受信無線局２０１０の通信可能範囲に存在するか否かを確認するために、連続受信発生間隔（Cinterval）毎に、連続受信時間（Ctime）の受信を行う命令を受信部１１２へ出す。
【００７８】
一方、連続受信時間（Ctime）以外においては、バースト・連続受信制御部２０１１は、データ記憶部１１１内の送信タイミング系列（Hs）、送信タイミング系列周期（Ht）、送信タイミング系列着目番号（Hn_r）、１フレーム時間（Ftime）、受信クロック情報（clock_r）、送信タイミング系列読み出し回数（Hs_num_r）を読み出す。更に、バースト・連続受信制御部２０１１は、送信タイミング系列（Hs）の内、送信タイミング系列着目番号（Hn_r）に対応する符号の値と、送信タイミング系列読み出し回数（Hs_num_r）に１フレーム時間（Ftime）と送信タイミング系列周期（Ht）とを乗算した値（Hs_num_r×Ftime×Ht）との和を算出する。更に、バースト受信制御部２０１１は、この算出値と受信クロック情報（clock_r）とを比較し、同一である場合には、受信部１１２に対して、待ち受け命令を出し、同一でない場合には、当該命令を出さない。
【００７９】
更に、バースト・連続受信制御部２０１１は、上述した算出値と受信クロック情報（clock_r）とが同一である場合、送信タイミング系列着目番号（Hn_r）に１を加算する。そして、この加算により、送信タイミング系列着目番号（Hn_r）が送信タイミング系列周期（Ht）以上になった場合には、バースト・連続送信制御部２０１１は、その時点の送信タイミング系列着目番号（Hn_r）から送信タイミング系列周期（Ht）を差し引いた値を、その後の送信タイミング系列着目番号（Hn_r）とするとともに、その時点の送信タイミング系列読み出し回数（Hs_num_r）に１を加算した値を、その後の送信タイミング系列読み出し回数（Hs_num_r）とする。
【００８０】
ランダム値選択部２０１２は、データ記憶部１１１に記憶されている送信無線局番号（ID）と全送信タイミング系列数（Hc）とを読み出し、これらを用いてランダム値（R）を選択する。例えば、ランダム値選択部２００１は、送信無線局２０００内のランダム値選択部２００１と同様、送信無線局番号（ID）を全送信タイミング数（Hc）で除した際の剰余に１を加えた値を算出することにより、１乃至Hcの間に存在するランダム値（R）を選択する。更に、ランダム値選択部２０１２は、選択したランダム値（R）をランダム系列算出部２０１３へ出力する。
【００８１】
ランダム系列算出部２０１３は、データ記憶部１１１に記憶されている符号（Code）の中からランダム系列（Rs）の生成に適用される符号（Code）を読み出し、更に、その符号（Code）に対応する生成多項式集合（Rmath）の中からランダム値（R）に対応するR番目の生成多項式を読み出す。更に、ランダム系列算出部２０１３は、読み出した生成多項式を用いてランダム系列（Rs）を算出する。算出されたランダム系列（Rs）は記憶部１１１に記憶される。あるいは、ランダム系列算出部２０１３は、データ記憶部１１１に記憶されたランダム系列対応表（Rtable）を読み出し、当該ランダム系列対応表（Rtable）における、ランダム値（R）に対応するR番目のランダム系列（Rs）を読み出す。読み出されたランダム系列（Rs）はデータ記憶部１１１に記憶される。
【００８２】
送信タイミング推定部２０１４は、データ記憶部１１１に記憶されたランダム系列（Rs）と、実際に送信無線局２０００から受信したデータの時間間隔とを用いて、クロックのずれ（clock_d）を推定し、更に、送信タイミング系列（Hs）を推定する。例えば、送信タイミング推定部２０１４は、ランダム系列（Rs）より、送信無線局２０００からのデータを受信する時間間隔の系列を推定する。次に、送信タイミング推定部２０１４は、この推定した時間間隔の系列と、実際に送信無線局２０００からデータを受信した際における受信間隔の系列とを比較し、両者のずれから送信クロック情報（clock_t）を推定し、データ記憶部１１１に記憶させる。更に、送信タイミング推定部２０１４は、データ記憶部１１１内の受信クロック情報（clock_r）から推定した送信クロック情報（clock_t）を差し引いた差をクロックのずれ（clock_d）として算出し、データ記憶部１１１に記憶させる。更に、送信タイミング推定部２０１４は、ランダム系列（Rs(n)）（ｎは要素番号で１乃至Hcの範囲を有する）に１フレーム時間（Ftime）を乗算したものを１フレーム内スロット数（Fslot）で除し、この算出値（Rs(n)×Ftime／Fslot）と、ｎ−１に１フレーム時間（Ftime）を乗算した値（（ｎ−１）Ftime）とを加算することによって、送信タイミング系列（Hs）を算出する。算出された送信タイミング系列（Hs）はデータ記憶部１１１に記憶される。
【００８３】
次に、フローチャートを参照しつつ、第２実施例における送信無線局及び受信無線局の動作を説明する。
【００８４】
図１５は、第２実施例における送信無線局の動作を示すフローチャートである。電源オン／オフ部１０６が外部からの命令を受けて、送信無線局２０００内の各回路をオン状態にすると、ランダム値選択部２００１は、データ記憶部１０１に記憶されている送信無線局番号（ID）と全送信タイミング系列数（Hc）とを読み出し、これらを用いてランダム値（R）を選択する（ステップ２００１）。
【００８５】
ランダム系列算出部２００２は、このランダム値（R）を用いてランダム系列（Rs）を算出する。更に、送信タイミング算出部２００３は、算出されたランダム系列（Rs）を用いて、送信タイミング系列（Hs）を算出する（ステップ２００２）。
【００８６】
その後、クロック生成部１００２は、クロックのカウントを開始し、そのカウント値を送信クロック情報（clock_t）として、随時、データ記憶部１０１に記憶させる（ステップ２００３）。
【００８７】
バースト送信制御部１００１は、データ記憶部１０１内の送信タイミング系列（Hs）、送信タイミング系列周期（Ht）、送信タイミング系列着目番号（Hn_t）、１フレーム時間（Ftime）、送信クロック情報（clock_t）、送信タイミング系列読み出し回数（Hs_num_t）を読み出す。更に、バースト送信制御部１００１は、送信タイミング系列（Hs）の内、送信タイミング系列着目番号（Hn_t）に対応する符号の値と、送信タイミング系列読み出し回数（Hs_num_t）に１フレーム時間（Ftime）と送信タイミング系列周期（Ht）とを乗算した値（Hs_num_t×Ftime×Ht）との和を算出する。更に、バースト送信制御部１００１は、この算出値と送信クロック情報（clock_t）とを比較する。そして、バースト送信制御部１００１は、算出値と送信クロック情報（clock_t）とが同一である場合には、送信タイミングであると判断して、切替機１０５に対して、スイッチをオンする命令を出し、同一でない場合には、当該命令を出さない（ステップ２００４）。
【００８８】
送信部１００３は、入力されたデータ及びデータ記憶部１０１から読み出した送信無線局番号（ID）を出力する。切替機１０５は、送信部１００３からのスイッチオンの命令を受けた場合に、当該送信部１００３からのデータをアンテナ１０７から外部に放射させる（ステップ２００５）。
【００８９】
ステップ２００４において送信タイミングでないと判断された場合、又は、ステップ２００５においてデータ送信が行われた場合、電源オン／オフ部１０６は、外部から電源をオフする命令を受けたか否かを判定する（ステップ２００６）。電源オン／オフ部１０６が電源をオフする命令を受けていない場合には、ステップ２００３におけるクロックのカウント以降の動作が繰り返される。一方、電源オン／オフ部１０６は、電源をオフする命令を受けた場合には、送信無線局２０００内の各回路をオフ状態にする。これにより、一連の動作が終了する。
【００９０】
図１６は、第２実施例における受信無線局の動作を示すフローチャートである。電源オン／オフ部１１５が外部からの命令を受けて、受信無線局２０１０内の各回路をオン状態にすると、バースト・連続受信制御部２０１１は、未知の送信無線局２０００が受信無線局２０１０の通信可能範囲に存在するか否かを確認するための連続受信を実行する必要があるか否かを判定する（ステップ２０１１）。
【００９１】
連続受信を行う必要がある場合、クロック生成部１０１３は、クロックのカウントを開始し、そのカウント値を受信クロック情報（clock_r）として、随時、データ記憶部１１１に記憶させる（ステップ２０１２）。受信部１１２は、アンテナ１１６を介して、送信無線局２０００からのデータを受信し、ＣＲＣチェックを行い、データを正常受信したか否かを判定する（ステップ２０１３）。
【００９２】
正常受信された場合には、受信部１１２は、受信したデータをデータ抽出部１０１１へ出力する。データ抽出部１０１１は、入力されるデータを、送信無線局番号（ID）と、その他のデータに分離し、送信無線局番号（ID）をデータ記憶部１１１に記憶させるとともに、その他のデータを外部に出力する。次に、ランダム値選択部２０１２は、データ記憶部１１１に記憶されている送信無線局番号（ID）と全送信タイミング系列数（Hc）とを読み出し、これらを用いてランダム値（R）を選択する。ランダム系列算出部２０１３は、このランダム値（R）を用いてランダム系列（Rs）を算出する。更に、送信タイミング推定部２０１４は、ランダム系列（Rs）を用いて送信タイミング系列（Hs）を推定し、データ記憶部１１１に記憶させる（ステップ２０１４）。
【００９３】
ステップ２０１４において送信タイミング系列（Hs）が推定された後、又は、ステップ２０１３において正常受信されなかったと判定された後、バースト・連続受信制御部２０１１は、連続受信時間（Ctime）が終了したか否かを判定する（ステップ２０１５）。
【００９４】
ステップ２０１５において連続受信時間（Ctime）が終了したと判定された後、又は、ステップ２０１１において連続受信の必要がないと判定された後、クロック生成部１０１３は、クロックのカウントを開始し、そのカウント値を受信クロック情報（clock_r）として、随時、データ記憶部１１１に記憶させる（ステップ２０１６）。
【００９５】
バースト・連続受信制御部２０１１は、データ記憶部１１１内の既知の全ての送信無線局２０００に対応する送信タイミング系列（Hs）と、受信クロック情報（clock_r）とに基づいて、既知の何れかの送信無線局２０００がデータを送信するタイミングであるか否かを判定する（ステップ２０１７）。既知の何れかの送信無線局２０００がデータを送信するタイミングである場合、受信部１１２は、対応する送信無線局２０００からのデータを、アンテナ１１６を介して受信し、ＣＲＣチェックを行う。そして、正常受信された場合には、受信部１１２は、受信したデータをデータ抽出部１０１１へ出力する。データ抽出部１０１１は、入力されるデータを、送信無線局番号（ID）と、その他のデータに分離し、送信無線局番号（ID）をデータ記憶部１１１に記憶させるとともに、その他のデータを外部に出力する（ステップ２０１８）。
【００９６】
ステップ２０１７において、既知の何れかの送信無線局２０００がデータを送信するタイミングでないと判断された場合、又は、ステップ２０１８においてデータ受信及びデータ分離が行われた場合、電源オン／オフ部１１５は、外部から電源をオフする命令を受けたか否かを判定する（ステップ２０１９）。電源オン／オフ部１１５が電源をオフする命令を受けていない場合には、ステップ２０１１における連続受信の必要があるか否かの判定以降の動作が繰り返される。一方、電源オン／オフ部１１５は、電源をオフする命令を受けた場合には、受信無線局２０１０内の各回路をオフ状態にする。これにより、一連の動作が終了する。
（第３実施例）
図１７は、第３実施例における送信無線局の構成例を示す図である。同図に示す送信無線局２０００は、データ記憶部１０１と、切替機１０５と、電源オン／オフ部１０６と、アンテナ１０７と、送信制御手段としてのバースト送信制御部１００１と、クロック生成部１００２と、送信手段としての送信部１００３と、送信タイミング系列取得手段としてのランダム値選択部２００１、ランダム系列算出部２００２及び送信タイミング算出部２００３と、データ通信制御部２００４とによって構成される。なお、図１７において、図１２と同一の構成要素には同一の番号が付されており、その詳細な説明は省略する。
【００９７】
送信部１００３は、入力されるデータ、送信無線局番号（ID）及び送信タイミング系列着目番号（Hn_t）を送信するために、切替機１０５と接続されている。データ通信制御部２００４は、予め設定されている所定の条件に応じて、送信部１００３が送信するパケットの構成を変更する。パケットの構成としては、常に入力されるデータ、送信無線局番号（ID）及び送信タイミング系列着目番号（Hn_t）を送信するための構成、入力されるデータ及び送信タイミング系列着目番号（Hn_t）を断続的に送信するための構成、入力されるデータ及び送信タイミング系列着目番号（Hn_t）をランダムに送信するための構成等が挙げられる。
【００９８】
送信部１００３は、このデータ通信制御部２００４による制御に応じて、送信するパケットの構成を随時変更する。例えば、データ通信制御部２００４が送信タイミング系列着目番号（Hn_t）を２回に一度送信するという制御を行った場合、送信部１００３は、まず、入力されるデータ及び送信無線局番号（ID）からなるパケットを送信し、次に、入力されるデータ、送信無線局番号（ID）及び送信タイミング系列着目番号（Hn_t）からなるパケットを送信し、この順序の送信を繰り返す。
【００９９】
図１８は、第３実施例における受信無線局の構成例を示す図である。同図に示す受信無線局２１１０は、データ記憶部１１１と、受信手段としての受信部１１２と、電源オン／オフ部１１５と、アンテナ１１６と、情報抽出手段としてのデータ抽出部１０１１と、クロック生成部１０１３と、同期手段としてのバースト・連続受信制御部２０１１と、送信タイミング系列取得手段としてのランダム値選択部２０１２、ランダム系列算出部２０１３及び送信タイミング算出部２０１５とによって構成される。なお、図１８において、図１４と同一の構成要素には同一の番号が付されており、その詳細な説明は省略する。
【０１００】
データ抽出部１０１１は、入力されるデータを、送信無線局番号（ID）及び送信タイミング系列着目番号（Hn_t）と、その他のデータに分離する。更に、データ抽出部１０１１は、送信無線局番号（ID）及び送信タイミング系列着目番号（Hn_t）をデータ記憶部１１１に記憶させるとともに、その他のデータを外部に出力する。
【０１０１】
送信タイミング算出部２０１５は、データ記憶部１１１に記憶されたランダム系列（Rs）及び送信無線局２１００からの送信タイミング系列着目番号（Hn_t）に基づいて、クロックのずれ（clock_d）を決定し、更に、送信タイミング系列（Hs）を決定する。例えば、送信タイミング算出部２０１５は、送信無線局２１００における送信タイミング系列着目番号（Hn_t）を、データ記憶部１１１に記憶された受信無線局２１１０における送信タイミング系列着目番号（Hn_r）に代入する。更に、送信タイミング算出部２０１５は、送信タイミング系列着目番号（Hn_r）と、当該送信タイミング系列着目番号（Hn_r）を受信したときの受信クロック情報（clock_r）が対応している場合、ランダム系列（Rs）を用いて、送信タイミング系列着目番号（Hn_r）を含んだパケットが１個目から送信タイミング系列周期（Ht）まで到来する時間を決定することにより、送信タイミング系列（Hs）を算出する。算出された送信タイミング系列（Hs）は、データ記憶部１１１に記憶される。
【０１０２】
第３実施例における送信無線局及び受信無線局の動作は、それぞれ図１５及び図１６に示す動作とほぼ同様である。但し、送信無線局２１００内の送信部１００３は、ステップ２００５において、入力されたデータ及びデータ記憶部１０１から読み出した送信無線局番号（ID）及び送信タイミング系列着目番号（Hn_t）を出力する。また、受信無線局２１１０では、ステップ２０１４において、データ抽出部１０１１は、入力されるデータを、送信無線局番号（ID）及び送信タイミング系列着目番号（Hn_t）と、その他のデータに分離し、送信無線局番号（ID）をデータ記憶部１１１に記憶させるとともに、その他のデータを外部に出力する。また、送信タイミング算出部２０１５は、受信された送信タイミング系列着目番号（Hn_t）を、データ記憶部１１１内の送信タイミング系列着目番号（Hn_r）に代入し、ランダム系列（Rs）を用いて送信タイミング系列（Hs）を算出する。
【０１０３】
（第４実施例）
図１９は、第４実施例における送信無線局の構成例を示す図である。同図に示す送信無線局３０００は、データ記憶部１０１と、切替機１０５と、電源オン／オフ部１０６と、アンテナ１０７と、送信部１００３と、ランダム値選択部２００１と、ランダム系列算出部２００２と、送信タイミング算出部２００３と、送信制御手段としてのバースト送受信制御部３００１と、位相情報補正手段としてのクロック生成部３００２と、基準クロック受信部３００３と、アンテナ３００４とによって構成される。なお、図１９において、図１２と同一の構成要素には同一の番号が付されており、その詳細な説明は省略する。
【０１０４】
データ記憶部１０１には、送信無線局番号（ID）、送信タイミング系列（Hs）、送信タイミング系列周期（Ht）、送信タイミング系列着目番号（Hn_t）、１フレーム内スロット数（Fslot）、１フレーム時間（Ftime）、送信クロック情報（clock_t）、送信タイミング系列読み出し回数（Hs_num_t）、全送信タイミング系列数（Hc）、ランダム系列の生成に適用される符号（Code）、生成多項式集合（Rmath）、ランダム系列（Rs）、ランダム系列対応表（Rtable）、外部基準クロック受信間隔（Sinterval）、外部基準クロック連続受信時間（Stime）等が記憶される。外部基準クロック受信間隔（Sinterval）は、基準となる位相情報としての外部の基準クロックを探索する時間間隔を意味する。外部基準クロック連続受信時間（Stime）は、外部の基準クロックを探索する時間を意味する。
【０１０５】
バースト送受信制御部３００１は、データ記憶部１０１内の送信タイミング系列（Hs）、送信タイミング系列周期（Ht）、送信タイミング系列着目番号（Hn_t）、１フレーム時間（Ftime）、送信クロック情報（clock_t）、送信タイミング系列読み出し回数（Hs_num_t）を読み出す。更に、バースト送受信制御部３００１は、送信タイミング系列（Hs）の内、送信タイミング系列着目番号（Hn_t）に対応する符号の値と、送信タイミング系列読み出し回数（Hs_num_t）に１フレーム時間（Ftime）と送信タイミング系列周期（Ht）とを乗算した値（Hs_num_t×Ftime×Ht）との和を算出する。更に、バースト送信制御部１００１は、この算出値と送信クロック情報（clock_t）とを比較し、同一である場合には、切替機１０５に対して、スイッチをオンする命令を出し、同一でない場合には、当該命令を出さない。
【０１０６】
更に、バースト送受信制御部３００１は、上述した算出値と送信クロック情報（clock_t）とが同一である場合、送信タイミング系列着目番号（Hn_t）に１を加算する。そして、この加算により、送信タイミング系列着目番号（Hn_t）が送信タイミング系列周期（Ht）以上になった場合には、バースト送受信制御部３００１は、その時点の送信タイミング系列着目番号（Hn_t）から送信タイミング系列周期（Ht）を差し引いた値を、その後の送信タイミング系列着目番号（Hn_t）とするとともに、その時点の送信タイミング系列読み出し回数（Hs_num_t）に１を加算した値を、その後の送信タイミング系列読み出し回数（Hs_num_t）とする。
【０１０７】
また、バースト送受信制御部３００１は、データ記憶部１０１に記憶された外部基準クロック受信間隔（Sinterval）及び外部基準クロック連続受信時間（Stime）を読み出し、これらに基づいて、外部基準クロックを受信する時間になったか否かを判定する。そして、バースト送受信制御部３００１は、外部基準クロックを受信する時間になった場合には、基準クロック受信部３００３に対して、外部基準クロックの受信を命令する。基準クロック受信部３００３は、この命令に応じて、アンテナ３００４を介して、基準となる時刻を示すクロックである外部基準クロック（基準クロック情報（Clock_s））を受信する。
【０１０８】
クロック生成部３００２は、この基準クロック情報（Clock_s）を元に、生成する送信クロック情報（clock_t）を補正する。補正後の送信クロック情報（clock_t）は、随時、データ記憶部１０１に記憶される。
【０１０９】
図２０は、第４実施例における受信無線局の構成例を示す図である。同図に示す受信無線局３０１０は、データ記憶部１１１と、受信部１１２と、電源オン／オフ部１１５と、アンテナ１１６と、データ抽出部１０１１と、ランダム値選択部２０１２と、ランダム系列算出部２０１３と、同期手段としてのバースト・連続受信制御部３０１１と、基準クロック受信部３０１２と、位相情報補正手段としてのクロック生成部３０１３と、送信タイミング系列取得手段としての送信タイミング算出部３０１４と、アンテナ３０１５とによって構成される。なお、図２０において、図１４と同一の構成要素には同一の番号が付されており、その詳細な説明は省略する。
【０１１０】
データ記憶部１１１には、送信無線局番号（ID）、送信タイミング系列（Hs）、送信タイミング系列周期（Ht）、送信タイミング系列着目番号（Hn_r）、受信クロック情報（clock_r）、送信タイミング系列読み出し回数（Hs_num_r）、１フレーム時間（Ftime）、受信クロック情報（clock_r）、送信クロック情報（clock_t）、クロックのずれ（clock_d）、全送信タイミング系列数（Hc）、ランダム系列の生成に適用される符号（Code）、生成多項式集合（Rmath）、ランダム系列（Rs）、ランダム系列対応表（Rtable）、連続受信時間（Ctime）、連続受信発生間隔（Cinterval）、外部基準クロック受信間隔（Sinterval）、外部基準クロック連続受信時間（Stime）等が記憶される。
【０１１１】
バースト・連続受信制御部３０１１は、未知の送信無線局３０００が受信無線局３０１０の通信可能範囲に存在するか否かを確認するために、連続受信発生間隔（Cinterval）毎に、連続受信時間（Ctime）の受信を行う命令を受信部１１２へ出す。
【０１１２】
一方、連続受信時間（Ctime）以外においては、バースト・連続受信制御部３０１１は、データ記憶部１１１内の送信タイミング系列（Hs）、送信タイミング系列周期（Ht）、送信タイミング系列着目番号（Hn_r）、１フレーム時間（Ftime）、受信クロック情報（clock_r）、送信タイミング系列読み出し回数（Hs_num_r）を読み出す。更に、バースト・連続受信制御部３０１１は、送信タイミング系列（Hs）の内、送信タイミング系列着目番号（Hn_r）に対応する符号の値と、送信タイミング系列読み出し回数（Hs_num_r）に１フレーム時間（Ftime）と送信タイミング系列周期（Ht）とを乗算した値（Hs_num_r×Ftime×Ht）との和を算出する。更に、バースト・連続受信制御部３０１１は、この算出値と受信クロック情報（clock_r）とを比較し、同一である場合には、受信部１１２に対して、待ち受け命令を出し、同一でない場合には、当該命令を出さない。
【０１１３】
更に、バースト・連続受信制御部３０１１は、上述した算出値と受信クロック情報（clock_r）とが同一である場合、送信タイミング系列着目番号（Hn_r）に１を加算する。そして、この加算により、送信タイミング系列着目番号（Hn_r）が送信タイミング系列周期（Ht）以上になった場合には、バースト・連続受信制御部３０１１は、その時点の送信タイミング系列着目番号（Hn_r）から送信タイミング系列周期（Ht）を差し引いた値を、その後の送信タイミング系列着目番号（Hn_r）とするとともに、その時点の送信タイミング系列読み出し回数（Hs_num_r）に１を加算した値を、その後の送信タイミング系列読み出し回数（Hs_num_r）とする。
【０１１４】
また、バースト・連続受信制御部３０１１は、データ記憶部１１１に記憶された外部基準クロック受信間隔（Sinterval）及び外部基準クロック連続受信時間（Stime）を読み出し、これらに基づいて、外部基準クロックを受信する時間になったか否かを判定する。そして、バースト・連続受信制御部３０１１は、外部基準クロックを受信する時間になった場合には、基準クロック受信部３０１２に対して、外部基準クロックの受信を命令する。基準クロック受信部３０１２は、この命令に応じて、アンテナ３０１５を介して、外部基準クロック（基準クロック情報（Clock_s））を受信する。
【０１１５】
クロック生成部３０１３は、この基準クロック情報（Clock_s）を元に、生成する受信クロック情報（clock_r）を補正する。補正後の受信クロック情報（clock_r）は、随時、データ記憶部１１１に記憶される。
【０１１６】
送信タイミング算出部３０１４は、データ記憶部１１１に記憶されたランダム系列（Rs）、１フレーム内スロット数（Fslot）、１フレーム時間（Ftime）を読み出す。更に、送信タイミング算出部３０１４は、ランダム系列（Rs(n)）（ｎは要素番号で１乃至Hcの範囲を有する）に１フレーム時間（Ftime）を乗算したものを１フレーム内スロット数（Fslot）で除し、この算出値（Rs(n)×Ftime／Fslot）と、ｎ−１に１フレーム時間（Ftime）を乗算した値（（ｎ−１）Ftime）とを加算することによって、送信タイミング系列（Hs(n)）（ｎは要素番号で１乃至Hcの範囲を有する）を算出する。算出された送信タイミング系列（Hs）はデータ記憶部１１１に記憶される。
【０１１７】
次に、フローチャートを参照しつつ、第４実施例における送信無線局及び受信無線局の動作を説明する。
【０１１８】
図２１は、第４実施例における送信無線局の動作を示すフローチャートである。電源オン／オフ部１０６が外部からの命令を受けて、送信無線局３０００内の各回路をオン状態にすると、ランダム値選択部２００１は、データ記憶部１０１に記憶されている送信無線局番号（ID）と全送信タイミング系列数（Hc）とを読み出し、これらを用いてランダム値（R）を選択する（ステップ３００１）。
【０１１９】
ランダム系列算出部２００２は、このランダム値（R）を用いてランダム系列（Rs）を算出する。更に、送信タイミング算出部２００３は、算出されたランダム系列（Rs）を用いて、送信タイミング系列（Hs）を算出する（ステップ３００２）。
【０１２０】
その後、バースト送受信制御部３００１は、外部基準クロックを受信する時間になった場合には、基準クロック受信部３００３に対して、外部基準クロックの受信を命令する。基準クロック受信部３００３は、この命令に応じて、アンテナ３００４を介して、外部基準クロック（基準クロック情報（Clock_s））を受信する。クロック生成部３００２は、この基準クロック情報（Clock_s）を元に、生成する送信クロック情報（clock_t）を補正し、クロックのカウントを開始する（ステップ３００３）。
【０１２１】
バースト送受信制御部３００１は、データ記憶部１０１内の送信タイミング系列（Hs）、送信タイミング系列周期（Ht）、送信タイミング系列着目番号（Hn_t）、１フレーム時間（Ftime）、送信クロック情報（clock_t）、送信タイミング系列読み出し回数（Hs_num_t）を読み出す。更に、バースト送受信制御部３００１は、送信タイミング系列（Hs）の内、送信タイミング系列着目番号（Hn_t）に対応する符号の値と、送信タイミング系列読み出し回数（Hs_num_t）に１フレーム時間（Ftime）と送信タイミング系列周期（Ht）とを乗算した値（Hs_num_t×Ftime×Ht）との和を算出する。更に、バースト送受信制御部３００１は、この算出値と送信クロック情報（clock_t）とを比較する。そして、バースト送受信制御部３００１は、算出値と送信クロック情報（clock_t）とが同一である場合には、送信タイミングであると判断して、切替機１０５に対して、スイッチをオンする命令を出し、同一でない場合には、当該命令を出さない（ステップ３００４）。
【０１２２】
送信部１００３は、入力されたデータ及びデータ記憶部１０１から読み出した送信無線局番号（ID）を出力する。切替機１０５は、送信部１００３からのスイッチオンの命令を受けた場合に、当該送信部１００３からのデータをアンテナ１０７から外部に放射させる（ステップ３００５）。
【０１２３】
ステップ３００４において送信タイミングでないと判断された場合、又は、ステップ３００５においてデータ送信が行われた場合、電源オン／オフ部１０６は、外部から電源をオフする命令を受けたか否かを判定する（ステップ３００６）。電源オン／オフ部１０６が電源をオフする命令を受けていない場合には、ステップ３００３におけるクロックのカウント以降の動作が繰り返される。一方、電源オン／オフ部１０６は、電源をオフする命令を受けた場合には、送信無線局３０００内の各回路をオフ状態にする。これにより、一連の動作が終了する。
【０１２４】
図２２は、第４実施例における受信無線局の動作を示すフローチャートである。電源オン／オフ部１１５が外部からの命令を受けて、受信無線局３０１０内の各回路をオン状態にすると、バースト・連続受信制御部３０１１は、未知の送信無線局３０００が受信無線局３０１０の通信可能範囲に存在するか否かを確認するための連続受信を実行する必要があるか否かを判定する（ステップ３０１１）。
【０１２５】
連続受信を行う必要がある場合、バースト・連続受信制御部３０１１は、外部基準クロックを受信する時間になると、基準クロック受信部３０１２に対して、外部基準クロックの受信を命令する。基準クロック受信部３０１２は、この命令に応じて、アンテナ３０１５を介して、外部基準クロック（基準クロック情報（Clock_s））を受信する。クロック生成部３０１３は、この基準クロック情報（Clock_s）を元に、生成する送信クロック情報（clock_t）を補正し、クロックのカウントを開始する（ステップ３０１２）。
【０１２６】
受信部１１２は、アンテナ１１６を介して、送信無線局２０００からのデータを受信し、ＣＲＣチェックを行い、データを正常受信したか否かを判定する（ステップ３０１３）。
【０１２７】
正常受信された場合には、受信部１１２は、受信したデータをデータ抽出部１０１１へ出力する。データ抽出部１０１１は、入力されるデータを、送信無線局番号（ID）と、その他のデータに分離し、送信無線局番号（ID）をデータ記憶部１１１に記憶させるとともに、その他のデータを外部に出力する。次に、ランダム値選択部２０１２は、データ記憶部１１１に記憶されている送信無線局番号（ID）と全送信タイミング系列数（Hc）とを読み出し、これらを用いてランダム値（R）を選択する。ランダム系列算出部２０１３は、このランダム値（R）を用いてランダム系列（Rs）を算出する。更に、送信タイミング算出部３０１４は、ランダム系列（Rs）を用いて送信タイミング系列（Hs）を算出し、データ記憶部１１１に記憶させる（ステップ３０１４）。
【０１２８】
ステップ３０１４において送信タイミング系列（Hs）が算出された後、又は、ステップ３０１３において正常受信されなかったと判定された後、バースト・連続受信制御部３０１１は、連続受信時間（Ctime）が終了したか否かを判定する（ステップ３０１５）。
【０１２９】
ステップ３０１５において連続受信時間（Ctime）が終了したと判定された後、又は、ステップ３０１１において連続受信の必要がないと判定された後、クロック生成部３０１３は、クロックのカウントを開始し、そのカウント値を受信クロック情報（clock_r）として、随時、データ記憶部１１１に記憶させる（ステップ３０１６）。
【０１３０】
バースト・連続受信制御部３０１１は、データ記憶部１１１内の既知の全ての送信無線局３０００に対応する送信タイミング系列（Hs）と、受信クロック情報（clock_r）とに基づいて、既知の何れかの送信無線局３０００がデータを送信するタイミングであるか否かを判定する（ステップ３０１７）。既知の何れかの送信無線局３０００がデータを送信するタイミングである場合、受信部１１２は、対応する送信無線局３０００からのデータを、アンテナ１１６を介して受信し、ＣＲＣチェックを行う。そして、正常受信された場合には、受信部１１２は、受信したデータをデータ抽出部１０１１へ出力する。データ抽出部１０１１は、入力されるデータを、送信無線局番号（ID）と、その他のデータに分離し、送信無線局番号（ID）をデータ記憶部１１１に記憶させるとともに、その他のデータを外部に出力する（ステップ３０１８）。
【０１３１】
ステップ３０１７において、既知の何れかの送信無線局３０００がデータを送信するタイミングでないと判断された場合、又は、ステップ３０１８においてデータ受信及びデータ分離が行われた場合、電源オン／オフ部１１５は、外部から電源をオフする命令を受けたか否かを判定する（ステップ３０１９）。電源オン／オフ部１１５が電源をオフする命令を受けていない場合には、ステップ３０１１における連続受信の必要があるか否かの判定以降の動作が繰り返される。一方、電源オン／オフ部１１５は、電源をオフする命令を受けた場合には、受信無線局３０１０内の各回路をオフ状態にする。これにより、一連の動作が終了する。
【０１３２】
（第５実施例）
図２３は、第５実施例における送信無線局の構成例を示す図である。同図に示す送信無線局４０００は、データ記憶部１０１、切替機１０５、電源オン／オフ部１０６、アンテナ１０７、送信部１００３、ランダム系列算出部２００２、送信タイミング算出部２００３、バースト送受信制御部３００１、クロック生成部３００２、基準クロック受信部３００３、アンテナ３００４、送信タイミング系列取得手段としてのランダム値選択部４００１によって構成される。なお、図２３において、図１９と同一の構成要素には同一の番号が付されており、その詳細な説明は省略する。
【０１３３】
データ記憶部１０１には、送信無線局番号（ID）、送信タイミング系列（Hs）、送信タイミング系列周期（Ht）、送信タイミング系列着目番号（Hn_t）、１フレーム内スロット数（Fslot）、１フレーム時間（Ftime）、送信クロック情報（clock_t）、送信タイミング系列読み出し回数（Hs_num_t）、全送信タイミング系列数（Hc）、ランダム系列の生成に適用される符号（Code）、生成多項式集合（Rmath）、ランダム系列（Rs）、ランダム系列対応表（Rtable）、外部基準クロック受信間隔（Sinterval）、外部基準クロック連続受信時間（Stime）、送信無線局優先度（Tpriority）等が記憶される。送信無線局優先度（Tpriority）は、送信無線局４０００が１フレーム時間（Ftime）に一度データを送信するのではなく、複数回送信する場合における、その送信回数を意味する。この送信無線局優先度（Tpriority）は、送信するデータの優先度によって異なり、例えば、優先度の高い送信データに対応する送信無線局優先度（Tpriority）は高くなり、優先度の低い送信データに対応する送信無線局優先度（Tpriority）は低くなる。
【０１３４】
ランダム値選択部４００１は、データ記憶部１０１に記憶されている送信無線局番号（ID）、全送信タイミング系列数（Hc）及び送信無線局優先度（Tpriority）を読み出し、これらを用いて、送信無線局優先度（Tpriority）と同数のランダム値（R）を選択する。例えば、ランダム値選択部４００１は、送信無線局番号（ID）の上位ビットに、０から送信無線局優先度（Tpriority）までのそれぞれの数を付加したものを、全送信タイミング数（Hc）で除した際の剰余に１を加えた値を算出することにより、１乃至Hcの間に存在する、送信無線局優先度（Tpriority）と同数のランダム値（R）を選択する。更に、ランダム値選択部２００１は、選択したランダム値（R）をランダム系列算出部２００２へ出力する。
【０１３５】
送信部１００３は、入力されたデータと、データ記憶部１０１から読み出した送信無線局番号（ID）及び送信無線局優先度（Tpriority）を出力する。これらのデータは、切替機１０５及びアンテナ１０７を介して外部に送信される。
【０１３６】
図２４は、第５実施例における受信無線局の構成例を示す図である。同図に示す受信無線局４０１０は、データ記憶部１１１、受信部１１２、電源オン／オフ部１１５、アンテナ１１６、データ抽出部１０１１、ランダム値選択部２０１２、ランダム系列算出部２０１３、クロック生成部３０１３、送信タイミング算出部３０１４、アンテナ３０１５、同期手段としてのバースト・連続受信制御部４０１１、基準位相情報送信手段としての基準クロック送信部４０１２によって構成される。なお、図２４において、図２０と同一の構成要素には同一の番号が付されており、その詳細な説明は省略する。
【０１３７】
データ記憶部１１１には、送信無線局番号（ID）、送信タイミング系列（Hs）、送信タイミング系列周期（Ht）、送信タイミング系列着目番号（Hn_r）、受信クロック情報（clock_r）、送信タイミング系列読み出し回数（Hs_num_r）、１フレーム時間（Ftime）、受信クロック情報（clock_r）、送信クロック情報（clock_t）、クロックのずれ（clock_d）、全送信タイミング系列数（Hc）、ランダム系列の生成に適用される符号（Code）、生成多項式集合（Rmath）、ランダム系列（Rs）、ランダム系列対応表（Rtable）、連続受信時間（Ctime）、連続受信発生間隔（Cinterval）、送信無線局優先度（Tpriority）、クロック送信間隔（Cinterval2）、クロック連続送信時間（Ctime2）等が記憶される。
【０１３８】
データ抽出部１０１１は、入力されるデータを、送信無線局番号（ID）及び送信無線局優先度（Tpriority）と、その他のデータに分離する。更に、データ抽出部１０１１は、送信無線局番号（ID）及び送信無線局優先度（Tpriority）をデータ記憶部１１１に記憶させるとともに、その他のデータを外部に出力する。
【０１３９】
ランダム値選択部２０１２は、データ記憶部１１１に記憶されている送信無線局番号（ID）、全送信タイミング系列数（Hc）及び送信無線局優先度（Tpriority）とを読み出し、これらを用いて、送信無線局優先度（Tpriority）と同数のランダム値（R）を選択する。例えば、ランダム値選択部２０１２は、送信無線局４０００内のランダム値選択部４００１と同様、送信無線局番号（ID）の上位ビットに、０から送信無線局優先度（Tpriority）までのそれぞれの数を付加したものを、全送信タイミング数（Hc）で除した際の剰余に１を加えた値を算出することにより、１乃至Hcの間に存在する、送信無線局優先度（Tpriority）と同数のランダム値（R）を選択する。更に、ランダム値選択部２０１２は、選択したランダム値（R）をランダム系列算出部２０１３へ出力する。
【０１４０】
バースト・連続受信制御部４０１１は、未知の送信無線局３０００が受信無線局３０１０の通信可能範囲に存在するか否かを確認するために、連続受信発生間隔（Cinterval）毎に、連続受信時間（Ctime）の受信を行う命令を受信部１１２へ出す。
【０１４１】
一方、連続受信時間（Ctime）以外においては、バースト・連続受信制御部４０１１は、データ記憶部１１１内の送信タイミング系列（Hs）、送信タイミング系列周期（Ht）、送信タイミング系列着目番号（Hn_r）、１フレーム時間（Ftime）、受信クロック情報（clock_r）、送信タイミング系列読み出し回数（Hs_num_r）を読み出す。更に、バースト・連続受信制御部２０１１は、送信タイミング系列（Hs）の内、送信タイミング系列着目番号（Hn_r）に対応する符号の値と、送信タイミング系列読み出し回数（Hs_num_r）に１フレーム時間（Ftime）と送信タイミング系列周期（Ht）とを乗算した値（Hs_num_r×Ftime×Ht）との和を算出する。更に、バースト・連続受信制御部４０１１は、この算出値と受信クロック情報（clock_r）とを比較し、同一である場合には、受信部１１２に対して、待ち受け命令を出し、同一でない場合には、当該命令を出さない。
【０１４２】
更に、バースト・連続受信制御部４０１１は、上述した算出値と送信クロック情報（clock_t）とが同一である場合、送信タイミング系列着目番号（Hn_r）に１を加算する。そして、この加算により、送信タイミング系列着目番号（Hn_r）が送信タイミング系列周期（Ht）以上になった場合には、バースト・連続受信制御部３０１１は、その時点の送信タイミング系列着目番号（Hn_r）から送信タイミング系列周期（Ht）を差し引いた値を、その後の送信タイミング系列着目番号（Hn_r）とするとともに、その時点の送信タイミング系列読み出し回数（Hs_num_r）に１を加算した値を、その後の送信タイミング系列読み出し回数（Hs_num_r）とする。
【０１４３】
また、バースト・送受信制御部４０１１は、データ記憶部１１１に記憶されたクロック送信間隔（Cinterval2）及びクロック連続送信時間（Ctime2）を読み出し、これらに基づいて、外部基準クロックを送信する時間になったか否かを判定する。そして、バースト・連続受信制御部４０１１は、外部基準クロックを送信する時間になった場合には、基準クロック送信部４０１２に対して、外部基準クロックの送信を命令する。
【０１４４】
クロック生成部３０１３は、クロックをカウントし、受信クロック情報（clock_r）として、随時、データ記憶部１１１に記憶させるとともに、基準クロック送信部４０１２へ出力する。基準クロック送信部４０１２は、バースト・連続受信制御部４０１１からの外部基準クロックの送信命令を受けた場合、クロック生成部３０１３からの受信クロック情報（clock_r）を外部基準クロックとして、アンテナ３０１５を介して送信する。
【０１４５】
次に、フローチャートを参照しつつ、第５実施例における送信無線局及び受信無線局の動作を説明する。
【０１４６】
図２５は、第５実施例における送信無線局の動作を示すフローチャートである。電源オン／オフ部１０６が外部からの命令を受けて、送信無線局４０００内の各回路をオン状態にすると、ランダム値選択部４００１は、データ記憶部１０１に記憶されている送信無線局番号（ID）、全送信タイミング系列数（Hc）、送信無線局優先度（Tpriority）とを読み出し、これらを用いて複数（送信無線局優先度（Tpriority）と同数）のランダム値（R）を選択する（ステップ４００１）。
【０１４７】
ランダム系列算出部２００２は、このランダム値（R）を用いて、送信無線局優先度（Tpriority）と同数のランダム系列（Rs）を算出する。更に、送信タイミング算出部２００３は、算出されたランダム系列（Rs）を用いて、送信無線局優先度（Tpriority）と同数の送信タイミング系列（Hs）を算出する（ステップ４００２）。
【０１４８】
その後、バースト送受信制御部３００１は、外部基準クロックを受信する時間になった場合には、基準クロック受信部３００３に対して、外部基準クロックの受信を命令する。基準クロック受信部３００３は、この命令に応じて、アンテナ３００４を介して、外部基準クロック（基準クロック情報（Clock_s））を受信する。クロック生成部３００２は、この基準クロック情報（Clock_s）を元に、生成する送信クロック情報（clock_t）を補正し、クロックのカウントを開始する（ステップ４００３）。
【０１４９】
バースト送受信制御部３００１は、データ記憶部１０１内の送信タイミング系列（Hs）、送信タイミング系列周期（Ht）、送信タイミング系列着目番号（Hn_t）、１フレーム時間（Ftime）、送信クロック情報（clock_t）、送信タイミング系列読み出し回数（Hs_num_t）を読み出す。更に、バースト送受信制御部３００１は、送信タイミング系列（Hs）の内、送信タイミング系列着目番号（Hn_t）に対応する符号の値と、送信タイミング系列読み出し回数（Hs_num_t）に１フレーム時間（Ftime）と送信タイミング系列周期（Ht）とを乗算した値（Hs_num_t×Ftime×Ht）との和を算出する。更に、バースト送受信制御部３００１は、この算出値と送信クロック情報（clock_t）とを比較する。そして、バースト送受信制御部３００１は、算出値と送信クロック情報（clock_t）とが同一である場合には、送信タイミングであると判断して、切替機１０５に対して、スイッチをオンする命令を出し、同一でない場合には、当該命令を出さない（ステップ４００４）。
【０１５０】
送信部１００３は、入力されたデータと、データ記憶部１０１から読み出した送信無線局番号（ID）及び送信無線局優先度（Tpriority）を出力する。切替機１０５は、送信部１００３からのスイッチオンの命令を受けた場合に、当該送信部１００３からのデータをアンテナ１０７から外部に放射させる（ステップ４００５）。
【０１５１】
ステップ４００４において送信タイミングでないと判断された場合、又は、ステップ４００５においてデータ送信が行われた場合、電源オン／オフ部１０６は、外部から電源をオフする命令を受けたか否かを判定する（ステップ４００６）。電源オン／オフ部１０６が電源をオフする命令を受けていない場合には、ステップ４００３におけるクロックのカウント以降の動作が繰り返される。一方、電源オン／オフ部１０６は、電源をオフする命令を受けた場合には、送信無線局４０００内の各回路をオフ状態にする。これにより、一連の動作が終了する。
【０１５２】
図２６は、第５実施例における受信無線局の動作を示すフローチャートである。電源オン／オフ部１１５が外部からの命令を受けて、受信無線局４０１０内の各回路をオン状態にすると、バースト・連続受信制御部４０１１は、未知の送信無線局４０００が受信無線局４０１０の通信可能範囲に存在するか否かを確認するための連続受信を実行する必要があるか否かを判定する（ステップ４０１１）。
【０１５３】
連続受信を行う必要がある場合、バースト・連続受信制御部３０１１は、外部基準クロックを送信する時間になると、基準クロック送信部４０１２に対して、外部基準クロックの送信を命令する。クロック生成部３０１３は、クロックのカウントを開始する。更に、基準クロック送信部４０１２は、バースト・連続受信制御部３０１１の命令に応じて、アンテナ３０１５を介して、外部基準クロックとしての受信クロック情報（clock_r）を送信する。（ステップ４０１２）。
【０１５４】
受信部１１２は、アンテナ１１６を介して、送信無線局４０００からのデータを受信し、ＣＲＣチェックを行い、データを正常受信したか否かを判定する（ステップ４０１３）。
【０１５５】
正常受信された場合には、受信部１１２は、受信したデータをデータ抽出部１０１１へ出力する。データ抽出部１０１１は、入力されるデータを、送信無線局番号（ID）及び送信無線局優先度（Tpriority）と、その他のデータに分離し、送信無線局番号（ID）及び送信無線局優先度（Tpriority）をデータ記憶部１１１に記憶させるとともに、その他のデータを外部に出力する。次に、ランダム値選択部２０１２は、データ記憶部１１１に記憶されている送信無線局番号（ID）、全送信タイミング系列数（Hc）及び送信無線局優先度（Tpriority）を読み出し、これらを用いて複数（送信無線局優先度（Tpriority）と同数）のランダム値（R）を選択する。ランダム系列算出部２０１３は、このランダム値（R）を用いて、送信無線局優先度（Tpriority）と同数のランダム系列（Rs）を算出する。更に、送信タイミング算出部３０１４は、算出されたランダム系列（Rs）を用いて、送信無線局優先度（Tpriority）と同数の送信タイミング系列（Hs）を算出する（ステップ４０１４）。
【０１５６】
ステップ４０１４において送信タイミング系列（Hs）が算出された後、又は、ステップ４０１３において正常受信されなかったと判定された後、バースト・連続受信制御部４０１１は、連続受信時間（Ctime）が終了したか否かを判定する（ステップ４０１５）。
【０１５７】
ステップ４０１５において連続受信時間（Ctime）が終了したと判定された後、又は、ステップ４０１１において連続受信の必要がないと判定された後、クロック生成部３０１３は、クロックのカウントを開始し、そのカウント値を受信クロック情報（clock_r）として、随時、データ記憶部１１１に記憶させる（ステップ４０１６）。
【０１５８】
バースト・連続受信制御部４０１１は、データ記憶部１１１内の既知の全ての送信無線局４０００に対応する送信タイミング系列（Hs）と、受信クロック情報（clock_r）とに基づいて、既知の何れかの送信無線局４０００がデータを送信するタイミングであるか否かを判定する（ステップ４０１７）。既知の何れかの送信無線局４０００がデータを送信するタイミングである場合、受信部１１２は、対応する送信無線局４０００からのデータを、アンテナ１１６を介して受信し、ＣＲＣチェックを行う。そして、正常受信された場合には、受信部１１２は、受信したデータをデータ抽出部１０１１へ出力する。データ抽出部１０１１は、入力されるデータを、送信無線局番号（ID）と、その他のデータに分離し、送信無線局番号（ID）をデータ記憶部１１１に記憶させるとともに、その他のデータを外部に出力する（ステップ４０１８）。
【０１５９】
ステップ４０１７において、既知の何れかの送信無線局４０００がデータを送信するタイミングでないと判断された場合、又は、ステップ４０１８においてデータ受信及びデータ分離が行われた場合、電源オン／オフ部１１５は、外部から電源をオフする命令を受けたか否かを判定する（ステップ４０１９）。電源オン／オフ部１１５が電源をオフする命令を受けていない場合には、ステップ４０１１における連続受信の必要があるか否かの判定以降の動作が繰り返される。一方、電源オン／オフ部１１５は、電源をオフする命令を受けた場合には、受信無線局４０１０内の各回路をオフ状態にする。これにより、一連の動作が終了する。
【０１６０】
（第６実施例）
第６実施例では、上述した第１乃至第５実施例におけるランダム系列と送信タイミング系列の対応を説明する。図２７は、ランダム系列と送信タイミング系列との対応を示す図である。図２７（１）は、ランダム系列（Rs）が１フレームにおけるスロットの順位に対応する場合を示す。例えば、ランダム系列（Rs）が「５７０２７２５」である場合、送信タイミング系列（Hs）に対応する７つのフレームにおいて、１番目のフレーム内の６番目のスロット、２番目のフレーム内の８番目のスロット、３番目のフレーム内の１番目のスロット、４番目のフレーム内の３番目のスロット、５番目のフレーム内の８番目のスロット、６番目のフレーム内の３番目のスロット、７番目のフレーム内の６番目のスロットがそれぞれ送信タイミングに対応することになる。
【０１６１】
一方、図２７（２）は、ランダム系列（Rs）が送信タイミング間の時間間隔である場合を示す。例えば、ランダム系列（Rs）が「４５１２３２７」である場合、先頭のスロットから数えて、５番目のスロット、１１番目のスロット、１３番目のスロット、１６番目のスロット、２０番目のスロット、２３番目のスロット、３１番目のスロットがそれぞれ送信タイミングに対応することになる。
【０１６２】
（第７実施例）
第７実施例では、上述した第２乃至第５実施例における連続受信時間（Ctime）、連続受信発生間隔（Cinterval）の設定について説明する。受信無線局２０１０等に記憶されている連続受信時間（Ctime）及び連続受信発生間隔（Cinterval）は、受信無線局２０１０等が周囲に存在する未知の送信無線局２０００等を探索するための連続受信と、低消費電力化のための間欠受信とを切り替えるためのパラメータである。具体的には、連続受信時間（Ctime）は、連続受信モードでの受信時間を示し、連続受信発生間隔（Cinterval）は、間欠受信モードでの受信時間を示す。
【０１６３】
図２８は、受信無線局２０１０等内の受信部１１２による連続受信時間（Ctime）及び連続受信発生間隔（Cinterval）の設定の一例を示す図である。図２８（１）では、受信部１１２は、初期設定された連続受信時間（Ctime）での連続受信及び連続受信発生間隔（Cinterval）での間欠受信を行う。図２８（２）では、受信部１１２は、連続受信時間（Ctime）の平均値及び連続受信発生間隔（Cinterval）の平均値の指数分布に対応する値での連続受信及び間欠受信を行う。図２８（３）では、受信部１１２は、複数の送信無線局２０００等が同時に送信を行うことによって生じるパケット衝突の頻度（パケット衝突率）に基づいて、パケット衝突率が大きい場合には連続受信を行い、パケット衝突率が小さい場合には間欠受信を行う。図２８（４）では、受信部１１２は、無線受信局２０１０等において測定された信号対雑音比（ＳＩＲ、ＣＩＲ）の値に基づいて、ＳＩＲ等の特性が不良である場合には連続受信を行い、ＳＩＲ等が良好である場合には間欠受信を行う。
【０１６４】
図２９は、発明者によるシミュレーション結果を示す図である。同図における諸元は、伝送速度が９６００［ｂｐｓ］、スロット長がデータ１２８［ｂｉｔ］に位相情報［７［ｂｉｔ］を付加した１３５［ｂｉｔ］、送信タイミング系列周期（Ht）が１２７、１フレーム時間（Ftime）が１．８［ｓｅｃ］、適用される符号がＲＳ符号であり、ＦＥＣ及びＡＲＱは適用されていない。図２９（１）に示す連続衝突時間の９９％値（複数回シミュレーションを行った場合における連続衝突時間の最大値の９９％の値）では、本実施形態のアクセス法は、従来のランダムアクセス法とほぼ同様の良好な特性を示している。一方、図２９（２）に示す受信動作時間率（全測定時間に対する、受信無線局が受信動作を行っている時間の比率）では、本実施形態のアクセス法は、従来の周期的アクセス法とほぼ同様の良好な特性を示している。
【０１６５】
このように、本実施形態では、送信無線局は、自局の固有値である送信無線局番号（ID）に基づいて、送信タイミング系列（Hs）を導出しており、複数の送信無線局間で送信タイミングが重複し、データ衝突が発生することを抑制することが可能となる。また、受信無線局は、送信無線局における送信タイミングを導出し、その送信タイミングと自局における受信タイミングとの同期をとっている。より具体的には、受信無線局は、送信クロック情報（clock_t）や受信クロック情報（clock_r）に基づいて、送信無線局における送信タイミングと自局における受信タイミングとの同期をとっている。従って、受信無線局は、送信無線局が送信するタイミングにおいてのみ、受信動作を行うことが可能となり、消費電力の低減を図ることが可能となる。
【０１６６】
また、本実施形態では、送信無線局は、外部装置によって生成された送信タイミング系列（Hs）を用いた送信を行うことができるため、装置構成の簡略化を図ることが可能となる。また、本実施形態では、送信無線局は、伝送単位を変更して送信を行うことができ、一方、受信無線局は、受信環境等に応じて連続受信と間欠受信とを切り替えることができる。従って、受信無線局が周囲の未知の送信無線局を探索する場合等においても、適切な受信動作による消費電力の低減を図ることが可能となる。
【０１６７】
なお、本発明は、所定長のデータ単位やビット単位等の様々な伝送単位での送受信が行われる場合において適用することができる。
【図面の簡単な説明】
【０１６８】
【図１】従来の周期的アクセス法及びランダムアクセス法の概要を示す図である。
【図２】従来の周期的アクセス法が採用される送信無線局の構成例を示す図である。
【図３】従来の周期的アクセス法が採用される受信無線局の構成例を示す図である。
【図４】従来のランダムアクセス法が採用される送信無線局の構成例を示す図である。
【図５】従来のランダムアクセス法が採用される受信無線局の構成例を示す図である。
【図６】送信無線局がランダム送信を行い、受信無線局が間欠受信を行うアクセスプロトコルの概要を示す図である。
【図７】第１実施例における通信システムの構成例を示す図である。
【図８】第１実施例における送信無線局の構成例を示す図である。
【図９】第１実施例における受信無線局の構成例を示す図である。
【図１０】第１実施例における送信無線局の動作を示すフローチャートである。
【図１１】第１実施例における受信無線局の動作を示すフローチャートである。
【図１２】第２実施例における送信無線局の構成例を示す図である。
【図１３】ランダム系列対応表の一例を示す図である。
【図１４】第２実施例における受信無線局の構成例を示す図である。
【図１５】第２実施例における送信無線局の動作を示すフローチャートである。
【図１６】第２実施例における受信無線局の動作を示すフローチャートである。
【図１７】第３実施例における送信無線局の構成例を示す図である。
【図１８】第３実施例における受信無線局の構成例を示す図である。
【図１９】第４実施例における送信無線局の構成例を示す図である。
【図２０】第４実施例における受信無線局の構成例を示す図である。
【図２１】第４実施例における送信無線局の動作を示すフローチャートである。
【図２２】第４実施例における受信無線局の動作を示すフローチャートである。
【図２３】第５実施例における送信無線局の構成例を示す図である。
【図２４】第５実施例における受信無線局の構成例を示す図である。
【図２５】第５実施例における送信無線局の動作を示すフローチャートである。
【図２６】第５実施例における受信無線局の動作を示すフローチャートである。
【図２７】第６実施例におけるランダム系列と送信タイミング系列の対応を示す図である。
【図２８】第７実施例における連続受信時間及び連続受信発生間隔の設定の一例を示す図である。
【図２９】発明者によるシミュレーション結果を示す図である。
【符号の説明】
【０１６９】
１０１、１１１  データ記憶部
１０５  切替機
１０６、１１５  電源オン／オフ部
１０７、１１６、３００４  アンテナ
１１２  受信部
１０００、２０００、３０００、４０００  送信無線局
１００１  バースト送信制御部
１００２、１０１３、３００２、３０１３  クロック生成部
１００３  送信部
１０１０、２０１０、３０１０、４０１０  受信無線局
１０１１  データ抽出部
１０１２  バースト受信制御部
２００１、２０１２、４００１  ランダム値選択部
２００２、２０１３  ランダム系列算出部
２００３、２０１５、３０１４  送信タイミング算出部
２００４  データ通信制御部
２０１１、３０１１、４０１１  バースト・連続受信制御部
２０１４  送信タイミング推定部
３００１  バースト送受信制御部
３００３、３０１２  基準クロック受信部
４０１２  基準クロック送信部
【図１】
2005086567.tif 000003
【図２】
2005086567.tif 000004
【図３】
2005086567.tif 000005
【図４】
2005086567.tif 000006
【図５】
2005086567.tif 000007
【図６】
2005086567.tif 000008
【図７】
2005086567.tif 000009
【図８】
2005086567.tif 000010
【図９】
2005086567.tif 000011
【図１０】
2005086567.tif 000012
【図１１】
2005086567.tif 000013
【図１２】
2005086567.tif 000014
【図１３】
2005086567.tif 000015
【図１４】
2005086567.tif 000016
【図１５】
2005086567.tif 000017
【図１６】
2005086567.tif 000018
【図１７】
2005086567.tif 000019
【図１８】
2005086567.tif 000020
【図１９】
2005086567.tif 000021
【図２０】
2005086567.tif 000022
【図２１】
2005086567.tif 000023
【図２２】
2005086567.tif 000024
【図２３】
2005086567.tif 000025
【図２４】
2005086567.tif 000026
【図２５】
2005086567.tif 000027
【図２６】
2005086567.tif 000028
【図２７】
2005086567.tif 000029
【図２８】
2005086567.tif 000030
【図２９】
2005086567.tif 000031
【手続補正書】
【提出日】平成16年4月16日(2004.4.16)
【手続補正１】
【補正対象書類名】特許請求の範囲
【補正対象項目名】請求項１
【補正方法】変更
【補正の内容】
【請求項１】
１又は複数の送信局と、前記１又は複数の送信局からの情報を受信する受信局とを有する通信システムにおいて、
前記送信局は、
前記送信局の固有値を含んだ情報を送信する送信手段と、
前記送信局の固有値又は共通値に基づく１又は複数の送信タイミング系列を取得する第１の送信タイミング系列取得手段と、
前記取得された１又は複数の送信タイミング系列に基づいて、情報の送信制御を行う送信制御手段と、
を備え、
前記受信局は、
前記送信局の固有値を含んだ情報を受信する受信手段と、
前記受信された情報に含まれる前記送信局の固有値を抽出する情報抽出手段と、
前記抽出された前記送信局の固有値に基づく該送信局における１又は複数の送信タイミング系列を取得する第２の送信タイミング系列取得手段と、
前記送信局における１又は複数の送信タイミング系列に基づいて、前記送信局における送信タイミングと前記受信局における受信タイミングとの同期をとる同期手段と、
を備える通信システム。
【手続補正２】
【補正対象書類名】特許請求の範囲
【補正対象項目名】請求項２
【補正方法】変更
【補正の内容】
【請求項２】
受信局に対して情報を送信する送信局において、
自局の固有値を含んだ情報を送信する送信手段と、
前記自局の固有値又は各送信局で共通の値に基づく１又は複数の送信タイミング系列を取得する送信タイミング系列取得手段と、
前記取得された１又は複数の送信タイミング系列に基づいて、前記受信局への情報の送信制御を行う送信制御手段と、
を備える送信局。
【手続補正３】
【補正対象書類名】明細書
【補正対象項目名】００７３
【補正方法】変更
【補正の内容】
【００７３】
なお、各送信無線局２０００における送信クロック情報（clock_t）は、通常異なる。このため、ランダム値選択部２００１は、共通の値を用いて各送信無線局２０００におけるランダム値（R）が同一になるように選択することもできる。この場合、各送信無線局２０００に対応するランダム系列（Rs）は同一になるが、各送信無線局２０００における送信クロック情報（clock_t）が異なるため、送信タイミング算出部２００３によって算出される送信タイミング系列（Hs）は、送信無線局２０００毎に異なることになる。